(57)【要約】本発明は、メイン基地局と１つまたは複数のリモート無線ユニットとの間の信号伝送を処理する方法および基地局通信システムに関する。上記のメイン基地局と上記の１つまたは複数のリモート無線との間の伝送チャネルは、広帯域伝送リンクまたはネットワークを使用して通信する。本発明は、上記の伝送チャネルにおいて、伝送は、同期デジタルシステムＳＤＨ／光伝送ネットワークＯＴＮを使用して処理され、上記の伝送チャネル上で送信されるデジタル無線信号データ・ストリームおよび帯域内制御シグナリング・ストリームは、汎用フレーミング調整ＧＦＰフレームとして形成され、ＳＴＭ−Ｎ／ＯＴＭ−ｎフレームにマッピングされ、それによって、上記のデジタル無線信号データ・ストリームおよび上記の帯域内制御シグナリング・ストリームを多重化して、ＳＤＨ／ＯＴＮに基づく送信を実現する。これにより、特別な伝送ネットワーク無しに、リモート無線ユニットとメイン基地局との間の無線信号伝送が効果的に実現され、信号伝送の管理および保守の操作が低減されるとともに、ネットワーク構築のコストも低減される。
2007533179.tif 000002
【特許請求の範囲】
【請求項１】
ホスト基地局（ＢＴＳ）と１つまたは複数のリモート無線ユニット（ＲＲＵ）との間の伝送チャネルが広帯域伝送リンクまたはネットワークを使用して通信する、前記ホストＢＴＳと前記１つまたは複数のＲＲＵとの間の信号伝送方法であって、
同期デジタル・ハイアラーキ（ＳＤＨ）／光伝送ネットワーク（ＯＴＮ）を使用して前記伝送チャネルを介して前記伝送を行う工程と、
前記伝送チャネルを介して送信されるデジタル無線信号データ・ストリームおよび帯域内制御シグナリング・ストリームを汎用フォーミング手順（ＧＦＰ）フレームに形成する工程とを含み、前記フレームがさらにＳＴＭ−Ｎ／ＯＴＭ−ｎフレームにマッピングされ、それによって、前記デジタル無線信号データ・ストリームおよび前記帯域内制御シグナリング・ストリームを多重化することによってＳＤＨ／ＯＴＮ−ベースの伝送を実現する方法。
【請求項２】
前記方法が、
前記デジタル無線信号データ・ストリームを符号化し、前記符号化されたデータ・ストリームを、ブロック符号化をサポートするために汎用フレーミング手順ＧＦＰによって定義されるフレームのタイプであるＧＦＰ−Ｔクライアント・データ・フレームに形成する工程と、
前記帯域内制御シグナリング・ストリームをＧＦＰ−Ｔクライアント管理フレームＣＭＦに形成する工程と、
単一の前記クライアント管理フレームＣＭＦを、前記形成されたＧＦＰ−Ｔクライアント・データ・フレーム間の間隙に送信して、前記デジタル無線信号データ・ストリームおよび前記帯域内制御シグナリング・ストリームをＧＦＰフレームレベル多重化する工程とをさらに含む請求項１に記載の信号伝送方法。
【請求項３】
前記デジタル無線信号データ・ストリームが符号化される前に、前記デジタル無線信号に対して並列−直列変換が行われる請求項２に記載の信号伝送方法。
【請求項４】
前記デジタル無線信号データ・ストリームおよび前記帯域内制御シグナリング・ストリームをＧＦＰフレームレベル多重化した後、前記方法が、
前記多重化されたＧＦＰフレームを、まず仮想コンテナ（ＶＣ）にマッピングし、次いで順次連結または仮想連結によってＳＴＭ−Ｎフレームにマッピングする工程、または
光チャネル・データ・ユニット（ＯＤＵ）を使用して前記多重化されたＧＦＰフレームを直接ＯＴＮ−ｎフレームにマッピングする工程をさらに含む請求項２に記載の信号伝送方法。
【請求項５】
前記方法が、
前記ＧＦＰフレームを前記受信されたＳＴＭ−Ｎ／ＯＴＭ−ｎフレームから抽出する工程と、
前記抽出されたＧＦＰフレームを逆多重化して、分離されたＧＦＰ−Ｔクライアント管理フレームから前記帯域内制御シグナリングを復元するように、前記ＧＦＰ−Ｔクライアント・データ・フレームと前記ＧＦＰ−Ｔクライアント管理フレーム（ＣＭＦ）とを分離し、まず前記分離されたＧＦＰ−Ｔクライアント・データ・フレームを復号し、次いで前記デジタル無線信号を復元する工程とをさらに含む請求項２に記載の信号伝送方法。
【請求項６】
前記ＧＦＰフレームを前記受信されたＳＴＭ−Ｎ／ＯＴＭ−ｎフレームから抽出する前記工程が、
前記受信されたＳＴＭ−Ｎ／ＯＴＭ−ｎフレームを仮想連結バッファリングする工程をさらに含む請求項５に記載の信号伝送方法。
【請求項７】
前記方法が前記復号されたデジタル無線信号に対して直列−並列変換を行う工程をさらに含む請求項５に記載の信号伝送方法。
【請求項８】
前記ＧＦＰ−Ｔクライアント・データ・フレームが前記ＧＦＰ−Ｔクライアント管理フレームのものより高い優先順位で送信される請求項２に記載の信号伝送方法。
【請求項９】
前記帯域内制御シグナリングの前記伝送の誤り保護がペイロード・フレーム・チェック・シーケンスによって提供される請求項２に記載の信号伝送方法。
【請求項１０】
前記方法が、
前記帯域内制御シグナリングの前記リンク層パケットがハイレベル・データ・リンク制御（ＨＤＬＣ）フレームまたは非同期伝送モード（ＡＴＭ）セルである場合、ＨＤＬＣまたはＡＴＭのパケット化機能および区切り機能を使用して前記帯域内制御シグナリングを含む前記対応するＨＤＬＣフレームまたはＡＴＭセルを区切る工程と、
前記帯域内制御シグナリングの前記リンク層パケットがポイント・ツー・ポイント・プロトコル（ＰＰＰ）パケット、Ｅｔｈｅｒｎｅｔ媒体アクセス制御（ＭＡＣ）パケット、または直接ＩＰパケットである場合、前記ＰＰＰパケットでは、ＨＤＬＣまたはＧＦＰ−Ｆによって前記フレームを形成し、前記ＩＰパケットでは、まずＰＰＰで前記フレームを運び、次いでＨＤＬＣまたはＧＦＰ−Ｆによって前記フレームを形成し、前記Ｅｔｈｅｒｎｅｔ  ＭＡＣフレームでは、ＧＦＰ−Ｆによって前記フレームを形成する工程とをさらに含む請求項２に記載の信号伝送方法。
【請求項１１】
前記方法が、
前記デジタル無線信号を符号化する工程と、
前記符号化工程で使用された前記コード・ブロック内の制御文字を使用して前記帯域内制御シグナリングを送信する工程と、
前記帯域内制御シグナリングを運ぶ前記符号化されたデジタル無線信号データ・ストリームをＧＦＰ−Ｔフレームに形成する工程とをさらに含む請求項１に記載の信号伝送方法。
【請求項１２】
前記デジタル無線信号が符号化される前に、前記デジタル無線信号に対して並列−直列変換が行われる請求項１１に記載の信号伝送方法。
【請求項１３】
前記ＧＦＰ−Ｔを形成した後、前記方法が、
前記ＧＦＰフレームを仮想コンテナ（ＶＣ）にマッピングし、次いで順次連結または仮想連結によってＳＴＭ−Ｎフレームにマッピングする工程、または
光チャネル・データ・ユニット（ＯＤＵ）を使用して前記ＧＦＰ−Ｔフレームを直接ＯＴＮ−ｎフレームにマッピングする工程をさらに含む請求項１１に記載の信号伝送方法。
【請求項１４】
前記方法が、
前記ＧＦＰ−Ｔフレームを前記受信されたＳＴＭ−Ｎ／ＯＴＭ−ｎフレームから抽出する工程と、
前記抽出されたＧＦＰ−Ｔフレームを復号する工程と、
前記帯域内制御シグナリングおよび前記デジタル無線信号を前記復号されたＧＦＰ−Ｔフレームから復元する工程とをさらに含む請求項１１に記載の信号伝送方法。
【請求項１５】
前記ＧＦＰフレームを前記受信されたＳＴＭ−Ｎ／ＯＴＭ−ｎフレームから抽出する前記工程が、
前記受信されたＳＴＭ−Ｎ／ＯＴＭ−ｎフレームを仮想連結バッファリングする工程をさらに含む請求項１４に記載の信号伝送方法。
【請求項１６】
前記方法が前記復元されたデジタル無線信号に対して直列−並列変換を行う工程をさらに含む請求項１４に記載の信号伝送方法。
【請求項１７】
前記コード・ブロック内の前記制御文字の定義が、
前記コード・ブロック内の次のバイトが前記制御文字であるかどうかを示すために最上位ビットｂ７が使用され、
前記制御文字が埋め込み文字であるかどうかを示すために次のｂ６が使用され、
将来の拡張用の予備として上位４ビット内の最後の２ビットｂ５／ｂ４が使用され、
前記帯域内制御シグナリング・ストリームを送信するために下位４ビットが使用される請求項１１に記載の信号伝送方法。
【請求項１８】
前記方法が、
前記帯域内制御シグナリングの前記リンク層パケットがハイレベル・データ・リンク制御（ＨＤＬＣ）フレームまたは非同期伝送モード（ＡＴＭ）セルである場合、ＨＤＬＣまたはＡＴＭのパケット化機能および区切り機能を使用して前記帯域内制御シグナリングを含む前記対応するＨＤＬＣフレームまたはＡＴＭセルを区切る工程と、
前記帯域内制御シグナリングの前記リンク層パケットがポイント・ツー・ポイント・プロトコル（ＰＰＰ）パケット、Ｅｔｈｅｒｎｅｔ媒体アクセス制御（ＭＡＣ）パケット、または直接ＩＰパケットである場合、前記ＰＰＰパケットでは、ＨＤＬＣまたはＧＦＰ−Ｆによって前記フレームを形成し、前記ＩＰパケットでは、まずＰＰＰで前記フレームを運び、次いでＨＤＬＣまたはＧＦＰ−Ｆによって前記フレームを形成し、前記Ｅｔｈｅｒｎｅｔ  ＭＡＣフレームでは、ＧＦＰ−Ｆによって前記フレームを形成する工程とをさらに含む請求項１１に記載の信号伝送方法。
【請求項１９】
前記方法が、
前記帯域内制御シグナリングを、プロトコル・データ・ユニット（ＰＤＵ）をサポートするために汎用フレーミング手順によって定義されるフレームのタイプであるＧＦＰ−Ｆフレームに形成する工程と、
前記デジタル無線信号データ・ストリームを符号化し、前記符号化されたデジタル無線信号データ・ストリームをＧＦＰ−Ｔフレームに形成する工程と、
前記形成されたＧＦＰ−Ｆフレームおよび前記形成されたＧＦＰ−ＴフレームをＧＦＰフレームレベル多重化する工程とをさらに含む請求項１に記載の信号伝送方法。
【請求項２０】
前記デジタル無線信号データ・ストリームが符号化される前に、前記デジタル無線信号に対して並列−直列変換が行われる請求項１９に記載の信号伝送方法。
【請求項２１】
前記形成されたＧＦＰ−Ｆフレームおよび前記形成されたＧＦＰ−ＴフレームをＧＦＰフレームレベル多重化した後、前記方法が、
前記ＧＦＰフレームを、まず仮想コンテナにマッピングし、次いで順次連結または仮想連結によってＳＴＭ−Ｎフレームにマッピングする工程、または
光チャネル・データ・ユニット（ＯＤＵ）を使用して前記ＧＦＰフレームを直接ＯＴＮ−ｎフレームにマッピングする工程をさらに含む請求項１９に記載の信号伝送方法。
【請求項２２】
前記方法が、
前記ＧＦＰフレームを前記受信されたＳＴＭ−Ｎ／ＯＴＭ−ｎフレームから抽出する工程と、
前記抽出されたＧＦＰフレームを逆多重化して、分離されたＧＦＰ−Ｔフレームから前記帯域内制御シグナリングを復元するように、前記ＧＦＰ−Ｆフレームと前記ＧＦＰ−Ｔフレームとを分離し、まず前記分離されたＧＦＰ−Ｔフレームを復号し、次いで前記デジタル無線信号を復元する工程とをさらに含む請求項１９に記載の信号伝送方法。
【請求項２３】
前記ＧＦＰフレームを前記受信されたＳＴＭ−Ｎ／ＯＴＭ−ｎフレームから抽出する前記工程が、
前記受信されたＳＴＭ−Ｎ／ＯＴＭ−ｎフレームを仮想連結バッファリングする工程をさらに含む請求項２２に記載の信号伝送方法。
【請求項２４】
前記方法が前記符号化されたデジタル無線信号に対して直列−並列変換を行う工程をさらに含む請求項２２に記載の信号伝送方法。
【請求項２５】
前記帯域内制御シグナリング・リンク層パケットがより大きいことによる前記デジタル無線信号データ・ストリーム伝送およびそのクロック・リカバリにおける時間遅延に対する悪影響を低減するために、前記方法が、
ｉ）より小さい制御シグナリング・リンク層パケットを実現するためにより小さい最大伝送単位を選択する対策
ｉｉ）前記ＧＦＰフレームレベル多重化で、前記デジタル無線信号データ・ストリームを運ぶ前記ＧＦＰ−Ｔフレームを最初に送信する対策
のうちのいずれか一方を少なくとも採用する請求項１９に記載の信号伝送方法。
【請求項２６】
前記方法が、
前記帯域内制御シグナリング・ストリームを符号化し、第１のＧＦＰ−Ｔクライアント・データ・フレームを形成する工程と、
前記デジタル無線信号データ・ストリームを符号化し、第２のＧＦＰ−Ｔクライアント・データ・フレームを形成する工程と、
前記第１のＧＦＰ−Ｔクライアント・データ・フレームおよび前記第２のＧＦＰ−Ｔクライアント・データ・フレームをＧＦＰフレームレベル多重化する工程とをさらに含む請求項１に記載の信号伝送方法。
【請求項２７】
前記デジタル無線信号データ・ストリームが符号化される前に、前記デジタル無線信号に対して並列−直列変換が行われる請求項２６に記載の信号伝送方法。
【請求項２８】
前記方法が、
前記多重化されたＧＦＰフレームを、まず仮想コンテナにマッピングし、次いで順次連結または仮想連結によってＳＴＭ−Ｎフレームにマッピングする工程、または
光チャネル・データ・ユニット（ＯＤＵ）を使用して前記多重化されたＧＦＰフレームを直接ＯＴＮ−ｎフレームにマッピングする工程をさらに含む請求項２６に記載の送信伝送の方法。
【請求項２９】
前記方法が、
前記ＧＦＰフレームを前記受信されたＳＴＭ−Ｎ／ＯＴＭ−ｎフレームから抽出する工程と、
前記抽出されたＧＦＰフレームを逆多重化し、前記第１のＧＦＰ−Ｔクライアント・データ・フレームおよび前記第２のＧＦＰ−Ｔクライアント・データ・フレームが逆多重化されるに伴い、それらをそれぞれ復号して、前記帯域内制御シグナリングおよび前記デジタル無線信号をそれぞれ復元する工程とをさらに含む請求項２６に記載の送信伝送の方法。
【請求項３０】
前記ＧＦＰフレームを前記受信されたＳＴＭ−Ｎ／ＯＴＭ−ｎフレームから抽出する前記工程が、
前記受信されたＳＴＭ−Ｎ／ＯＴＭ−ｎフレームを仮想連結バッファリングする工程をさらに含む請求項２９に記載の送信伝送の方法。
【請求項３１】
前記方法が、
前記復号されたデジタル無線信号に対して直列−並列変換を行う工程をさらに含む請求項２９に記載の送信伝送の方法。
【請求項３２】
前記第１のＧＦＰ−Ｔクライアント・データ・フレームおよび前記第２ＧＦＰ−Ｔクライアント・データ・フレームが、固定された割り振りを用いて、チャネル識別子を提供するために拡張ヘッダーを追加することによって、ＧＦＰレベル多重化される請求項２６に記載の信号送信の方法。
【請求項３３】
前記方法が、
前記帯域内制御シグナリングの前記リンク層パケットがハイレベル・データ・リンク制御（ＨＤＬＣ）フレームまたは非同期伝送モード（ＡＴＭ）セルである場合、ＨＤＬＣまたはＡＴＭのパケット化機能および区切り機能を使用して前記帯域内制御シグナリングを含む前記対応するＨＤＬＣフレームまたはＡＴＭセルを区切る工程と、
前記帯域内制御シグナリングの前記リンク層パケットがポイント・ツー・ポイント・プロトコル（ＰＰＰ）パケット、Ｅｔｈｅｒｎｅｔ媒体アクセス制御（ＭＡＣ）パケット、または直接ＩＰパケットである場合、前記ＰＰＰパケットでは、ＨＤＬＣまたはＧＦＰ−Ｆによって前記フレームを形成し、前記ＩＰパケットでは、まずＰＰＰで前記フレームを運び、次いでＨＤＬＣまたはＧＦＰ−Ｆによって前記フレームを形成し、前記Ｅｔｈｅｒｎｅｔ  ＭＡＣフレームでは、ＧＦＰ−Ｆによって前記フレームを形成する工程とをさらに含む請求項２６に記載の信号伝送方法。
【請求項３４】
１つのＧＦＰ−Ｔフレーム内の前記デジタル無線信号データ・ストリームおよび前記帯域内制御シグナリング・ストリームを時分割多重化し、
時分割多重化された後、前記データ・ストリームを符号化し、ＧＦＰ−Ｔクライアント・データ・フレームを形成する請求項１に記載の信号伝送方法。
【請求項３５】
前記デジタル無線信号データ・ストリームおよび前記帯域内制御シグナリングが時分割多重化される前に、前記デジタル無線信号に対して並列−直列変換が行われる請求項３４に記載の信号伝送方法。
【請求項３６】
前記方法が、
前記ＧＦＰフレームを、まず仮想コンテナ（ＶＣ）にマッピングし、次いで順次連結または仮想連結によってＳＴＭ−Ｎフレームにマッピングする工程、または
光チャネル・データ・ユニット（ＯＤＵ）を使用して前記ＧＦＰ−Ｔフレームを直接ＯＴＮ−ｎフレームにマッピングする工程をさらに含む請求項３４に記載の信号伝送方法。
【請求項３７】
前記方法が、
前記ＧＦＰ−Ｔフレームを前記受信されたＳＴＭ−Ｎ／ＯＴＭ−ｎフレームから抽出する工程と、
前記抽出されたＧＦＰ−Ｔフレームを復号する工程と、
前記復号されたＧＦＰ−Ｔフレームを逆多重化して、前記帯域内制御シグナリングおよび前記デジタル無線信号を復元する工程とをさらに含む請求項３４に記載の信号伝送方法。
【請求項３８】
前記ＧＦＰフレームを前記受信されたＳＴＭ−Ｎ／ＯＴＭ−ｎフレームから抽出する前記工程が、
前記受信されたＳＴＭ−Ｎ／ＯＴＭ−ｎフレームを仮想連結バッファリングする工程をさらに含む請求項３７に記載の信号伝送方法。
【請求項３９】
前記逆多重化されたデジタル無線信号に対して直列−並列変換を行う請求項３７に記載の信号伝送方法。
【請求項４０】
前記方法が、
前記帯域内制御シグナリングの前記リンク層パケットがハイレベル・データ・リンク制御（ＨＤＬＣ）フレームまたは非同期伝送モード（ＡＴＭ）セルである場合、ＨＤＬＣまたはＡＴＭのパケット化機能および区切り機能を使用して前記帯域内制御シグナリングを含む前記対応するＨＤＬＣフレームまたはＡＴＭセルを区切る工程と、
前記帯域内制御シグナリングの前記リンク層パケットがポイント・ツー・ポイント・プロトコル（ＰＰＰ）パケット、Ｅｔｈｅｒｎｅｔ媒体アクセス制御（ＭＡＣ）パケット、または直接ＩＰパケットである場合、前記ＰＰＰパケットでは、ＨＤＬＣまたはＧＦＰ−Ｆによって前記フレームを形成し、前記ＩＰパケットでは、まずＰＰＰで前記フレームを運び、次いでＨＤＬＣまたはＧＦＰ−Ｆによって前記フレームを形成し、前記Ｅｔｈｅｒｎｅｔ  ＭＡＣフレームでは、ＧＦＰ−Ｆによって前記フレームを形成する工程とをさらに含む請求項３４に記載の信号伝送方法。
【請求項４１】
前記方法が、
６４Ｂ／６５Ｂコード・ブロックを使用して符号化が行われ、
それに対応して６４Ｂ／６５Ｂコード・ブロックを使用して復号が行われることをさらに含む請求項１乃至４０のいずれか１項に記載の信号伝送方法。
【請求項４２】
前記方法が、
前記ホストＢＴＳから前記ＲＲＵへのダウン・リンクにおいて、
前記ホストＢＴＳの基準クロック・ソースが、前記リンク・インターフェイスの前記送信端のＧＦＰフレーミングおよびＶＣ／ＯＤＵマッピング・モジュールにタイミングを提供する工程と、
前記リンク・インターフェイスの前記受信端で、先入れ先出しメモリの占有局に基づく位相同期ループを使用して、前記デジタル無線信号データ・ストリーム・クロックを復元し、前記復元されたクロックを、同時に前記ＲＲＵの基準周波数ソースとして設定する工程と、
前記ＲＲＵから前記ホストＢＴＳへのアップ・リンクにおいて、
前記リンク・インターフェイスの前記送信端のＧＦＰフレーミングおよびＶＣ／ＯＤＵマッピング・モジュールが前記ダウン・リンクで取得された前記同期クロックを使用してデータを送信する工程と、
前記リンク・インターフェイスの前記受信端で、前記基準クロック・ソ−スを使用して、ＧＦＰフレーム復号およびＶＣ／ＯＤＣデマッピング・モジュールにタイミングを提供する工程とをさらに含む請求項１乃至４０のいずれか１項に記載の信号伝送方法。
【請求項４３】
ホスト基地局（ＢＴＳ）と１つまたは複数のリモート無線ユニット（ＲＲＵ）との間の伝送チャネルが広帯域伝送リンクまたはネットワークを使用して通信する、前記ホストＢＴＳと前記１つまたは複数のＲＲＵとの間の信号伝送の基地局（ＢＴＳ）通信システムであって、
前記伝送チャネルに配置されている同期デジタル・ハイアラーキ（ＳＤＨ）／光伝送ネットワーク（ＯＴＮ）通信インターフェイスを含み、前記通信インターフェイスが、前記通信チャネルを介して送信されるデジタル無線信号データ・ストリームおよび帯域内制御シグナリング・ストリームを、汎用フレーミング手順（ＧＦＰ）フレームに形成するために使用され、汎用フレーミング手順（ＧＦＰ）フレームがさらにＳＴＮ−Ｎ／ＯＴＮ−ｎフレームにマッピングされ、それによって前記デジタル無線信号データ・ストリームおよび前記帯域内制御シグナリング・ストリームを多重化することによって、ＳＤＨ／ＯＴＮベースの伝送が実現するＢＴＳ通信システム。
【請求項４４】
前記システムが、
前記デジタル無線信号データ・ストリームを符号化する符号化ユニットと、
前記符号化されたデータ・ストリームを、ブロック符号化をサポートするためにＧＦＰによって定義されるフレームのタイプであるＧＦＰ−Ｔクライアント・データ・フレームに形成するクライアント・データ・フレーム・フレーミング・ユニットと、
前記帯域内制御シグナリング・ストリームをＧＦＰ−Ｔクライアント管理フレーム（ＣＭＦ）に形成するクライアント管理フレーム（ＣＭＦ）フレーミング・ユニットと、
単一の前記クライアント管理フレームＣＭＦを、前記形成されたＧＦＰ−Ｔクライアント・データ・フレーム間の間隙に送信して、前記デジタル無線信号データ・ストリームおよび前記帯域内制御シグナリング・ストリームをＧＦＰフレームレベル多重化するフレーム多重化ユニットとをさらに含む請求項４３に記載のＢＴＳ通信システム。
【請求項４５】
前記システムが、
前記デジタル無線信号データ・ストリームが符号化される前に、前記デジタル無線信号に対して並列−直列変換を行う、前記符号化ユニットと結合されている並列−直列変換ユニットをさらに含む請求項４４に記載のＢＴＳ通信システム。
【請求項４６】
前記システムが、
前記多重化されたＧＦＰ−Ｔフレームを、まず仮想コンテナ（ＶＣ）にマッピングし、次いで順次連結または仮想連結によってＳＴＭ−Ｎフレームにマッピングする、または光チャネル・データ・ユニット（ＯＤＵ）を使用して前記多重化されたＧＦＰ−Ｔフレームを直接ＯＴＭ−ｎフレームにマッピングする、前記フレーム多重化ユニットと結合されているマッピング／連結ユニットをさらに含む請求項４４に記載のＢＴＳ通信システム。
【請求項４７】
前記システムが、
前記ＧＦＰフレームを前記受信されたＳＴＭ−Ｎ／ＯＴＭ−ｎフレームから抽出し、前記抽出されたＧＦＰフレームを逆多重化して、前記ＧＦＰ−Ｔクライアント・データ・フレームと前記ＧＦＰ−Ｔクライアント管理フレームとを分離するフレーム逆多重化ユニットと、
前記分離されたＧＦＰ−Ｔクライアント管理フレームから前記帯域内制御シグナリングを復元する、前記逆多重化ユニットと結合されているＣＭＦフレーム処理ユニットと、
前記分離されたＧＦＰ−Ｔクライアント・データ・フレームから前記符号化されたデジタル無線信号を復元する、前記フレーム逆多重化ユニットと結合されているＧＦＰ−Ｔフレーム処置ユニットと、
前記ＧＦＰ−Ｔクライアント・データ・フレームを復号して、前記デジタル無線信号を復元する、前記ＧＦＰ−Ｔフレーム処理ユニットと結合されている復号ユニットとをさらに含む請求項４４に記載のＢＴＳ通信システム。
【請求項４８】
前記システムが、
前記受信されたＳＴＭ−Ｎ／ＯＴＭ−ｎフレームを仮想連結バッファリングする仮想連結バッファ・ユニットをさらに含む請求項４７に記載のＢＴＳ通信システム。
【請求項４９】
前記システムが、
前記復号されたデジタル無線信号に対して直列−並列変換を行う、前記復号ユニットと結合されている直列−並列変換ユニットをさらに含む請求項４７に記載のＢＴＳ通信システム。
【請求項５０】
前記システムが、
前記デジタル無線信号を符号化する符号化ユニットと、
符号化に使用される前記コード・ブロック内の前記制御文字を使用して前記帯域内制御シグナリングを送信する、前記符号化ユニットと結合されているスケジューリング・ユニットと、
前記符号化ユニットによって符号化され、前記帯域内制御シグナリングを運ぶ前記デジタル無線信号デ−タ・ストリームをＧＦＰ−Ｔフレームに形成するフレーム形成ユニットとをさらに含む請求項４３に記載のＢＴＳ通信システム。
【請求項５１】
前記システムが、
前記デジタル無線信号に対して並列−直列変換を行う、前記スケジューリング・ユニットと結合されている並列−直列変換ユニットをさらに含む請求項５０に記載のＢＴＳ通信システム。
【請求項５２】
前記システムが、
前記ＧＦＰ−Ｔフレームを、まず仮想コンテナ（ＶＣ）にマッピングし、次いで順次連結または仮想連結によってＳＴＭ−Ｎフレームにマッピングする、または光チャネル・データ・ユニット（ＯＤＵ）を使用して前記ＧＦＰ−Ｔフレームを直接ＯＴＭ−ｎフレームにマッピングする、前記フレーム形成ユニットと結合されているマッピング／連結ユニットをさらに含む請求項５０に記載のＢＴＳ通信システム。
【請求項５３】
前記システムが、
前記ＧＦＰ−Ｔフレームを前記受信されたＳＴＭ−Ｎ／ＯＴＭ−ｎフレームから抽出するフレーム処理ユニットと、
前記抽出されたＧＦＰ−Ｔフレームを復号する、前記フレーム処理ユニットと結合されている復号ユニットと、
前記帯域内制御シグナリングおよび前記デジタル無線信号を前記復号されたＧＦＰ−Ｔフレームから復元する、前記復号ユニットと結合されている分離ユニットとをさらに含む請求項５０に記載のＢＴＳ通信システム。
【請求項５４】
前記システムが、
前記受信されたＳＴＭ−Ｎ／ＯＴＭ−ｎフレームを仮想連結バッファリングする仮想連結バッファをさらに含む請求項５３に記載のＢＴＳ通信システム。
【請求項５５】
前記システムが、
前記復元されたデジタル無線信号に対して直列−並列変換を行う、前記復号ユニットと結合されている直列−並列変換ユニットをさらに含む請求項５３に記載のＢＴＳ通信システム。
【請求項５６】
前記システムが、
前記帯域内制御シグナリングを、プロトコル・データ・ユニット（ＰＤＵ）をサポートするために汎用フレーミング手順ＧＦＰによって定義されるフレームのタイプであるＧＦＰ−Ｆフレームに形成する第１のフレーム形成ユニットと、
前記デジタル無線信号データ・ストリームを符号化する符号化ユニットと、
前記符号化されたデジタル無線信号データ・ストリームをＧＦＰ−Ｔフレームに形成する、前記符号化ユニットと結合されている第２のフレーム形成ユニットと、
前記形成されたＧＦＰ−Ｆフレームおよび前記形成されたＧＦＰ−ＴフレームをＧＦＰフレームレベル多重化するフレーム多重化ユニットとをさらに含む請求項４３に記載のＢＴＳ通信システム。
【請求項５７】
前記システムが、
前記デジタル無線信号に対して並列−直列変換を行う、前記符号化ユニットと結合されている並列−直列変換ユニットをさらに含む請求項５６に記載のＢＴＳ通信システム。
【請求項５８】
前記システムが、
前記ＧＦＰフレームを、まず仮想コンテナ（ＶＣ）にマッピングし、次いで順次連結または仮想連結によってＳＴＭ−Ｎフレームにマッピングする、または光チャネル・データ・ユニット（ＯＤＵ）を使用して前記ＧＦＰフレームを直接ＯＴＭ−ｎフレームにマッピングする、前記フレーム多重化ユニットと結合されているマッピング／連結ユニットをさらに含む請求項５６に記載のＢＴＳ通信システム。
【請求項５９】
前記システムが、
前記ＧＦＰフレームを前記受信されたＳＴＭ−Ｎ／ＯＴＭ−ｎフレームから抽出し、前記抽出されたＧＦＰフレームを逆多重化して、前記ＧＦＰ−Ｆフレームと前記ＧＦＰ−Ｔフレームとを分離するフレーム逆多重化ユニットと、
前記分離されたＧＦＰ−Ｆフレームから前記帯域内制御シグナリングを復元する、前記フレーム逆多重化ユニットと結合されている第１のフレーム処理ユニットと、
前記符号化されたデジタル無線信号を出力する、前記フレーム逆多重化ユニットと結合されている第２のフレーム処理ユニットと、
前記符号化されたデジタル無線信号出力を復号して前記デジタル無線信号を復元する、前記第２のフレーム処理ユニットと結合されている復号ユニットとをさらに含む請求項５６に記載のＢＴＳ通信システム。
【請求項６０】
前記システムが、
前記受信されたＳＴＭ−Ｎ／ＯＴＭ−ｎフレームを仮想連結バッファリングする仮想連結バッファ・ユニットをさらに含む請求項５９に記載のＢＴＳ通信システム。
【請求項６１】
前記システムが、
前記復号されたデジタル無線信号に対して直列−並列変換を行う、前記復号ユニットと結合されている直列−並列変換ユニットをさらに含む請求項５９に記載のＢＴＳ通信システム。
【請求項６２】
前記システムが、
前記帯域内制御シグナリング・ストリームを符号化する第１の符号化ユニットと、
前記符号化された帯域内制御シグナリングを第１のＧＦＰ−Ｔクライアント・データ・フレームに形成する、前記第１の符号化ユニットと結合されている第１のフレーム形式ユニットと、
前記デジタル無線信号データ・ストリームを符号化する第２の符号化ユニットと、
前記符号化されたデジタル無線信号を第２のＧＦＰ−Ｔクライアント・データ・フレームに形成する、前記第２の符号化ユニットと結合されている第２のフレーム形成ユニットと、
前記第１のＧＦＰ−Ｔクライアント・データ・フレームおよび前記第２のＧＦＰ−Ｔクライアント・データ・フレームをＧＦＰレベル多重化する、前記第１のフレーム形成ユニットおよび前記第２のフレーム形成ユニットと結合されているフレーム多重化ユニットとをさらに含む請求項４３に記載のＢＴＳ通信システム。
【請求項６３】
前記システムが、
前記デジタル無線信号に対して並列−直列変換を行う、前記第２の符号化ユニットと結合されている並列−直列変換ユニットをさらに含む請求項６２に記載のＢＴＳ通信システム。
【請求項６４】
前記システムが、
前記多重化されたＧＦＰフレームを、まず仮想コンテナ（ＶＣ）にマッピングし、次いで順次連結または仮想連結によってＳＴＭ−Ｎフレームにマッピングする、または光チャネル・データ・ユニット（ＯＤＵ）を使用して、前記多重化されたＧＦＰフレームを直接ＯＴＭ−ｎフレームにマッピングする、前記フレーム多重化ユニットと結合されているマッピング／連結ユニットをさらに含む請求項６２に記載のＢＴＳ通信システム。
【請求項６５】
前記システムが、
前記ＧＦＰフレームを前記受信されたＳＴＭ−Ｎ／ＯＴＭ−ｎフレームから抽出し、前記抽出されたＧＦＰフレームを逆多重化するフレーム逆符号化ユニットと、
前記帯域内制御シグナリングを含む前記第１のＧＦＰ−Ｔクライアント・データ・フレームを処理する、前記フレーム逆多重化ユニットと結合されている第１のフレーム処理ユニットと、
前記第１のフレーム処理ユニットの出力を復号して、前記帯域内制御シグナリングを分離する、前記第１のフレーム処理ユニットと結合されている第１の復号ユニットと、
前記デジタル無線信号を含む前記第２のＧＦＰ−Ｔクライアント・データ・フレームを処理する、前記フレーム逆多重化ユニットと結合されている第２のフレーム処理ユニットと、
前記第２のフレーム処理ユニットの出力を復号して、前記デジタル無線信号を分離する、前記第２のフレーム処理ユニットと結合されている第２の復号ユニットとをさらに含む請求項６２に記載のＢＴＳ通信システム。
【請求項６６】
前記システムが、
前記受信されたＳＴＭ−Ｎ／ＯＴＭ−ｎフレームを仮想連結バッファリングする仮想連結バッファ・ユニットをさらに含む請求項６５に記載のＢＴＳ通信システム。
【請求項６７】
前記システムが、
前記復号されたデジタル無線信号に対して直列−並列変換を行う、前記第２の復号ユニットと結合されている直列−並列変換ユニットをさらに含む請求項６５に記載のＢＴＳ通信システム。
【請求項６８】
前記システムが、
１つのＧＦＰ−Ｔフレーム内の前記デジタル無線信号データ・ストリームおよび前記帯域内制御シグナリング・ストリームを時分割多重化する時分割多重化ユニットと、
時分割多重化された後、前記データ・ストリームを符号化する、前記時分割多重化ユニットと結合されている符号化ユニットと、
前記符号化データ・ストリームをＧＦＰ−Ｔクライアント・データ・フレームに形成する、前記符号化ユニットと結合されているフレーム形成ユニットとをさらに含む請求項４３に記載のＢＴＳ通信システム。
【請求項６９】
前記システムが、
前記デジタル無線信号に対して並列−直列変換を行う、前記時分割多重化ユニットと結合されている並列−直列変換ユニットをさらに含む請求項６８に記載のＢＴＳ通信システム。
【請求項７０】
前記システムが、
前記ＧＦＰ−Ｔフレームをまず仮想コンテナ（ＶＣ）にマッピングし、次いで順次連結または仮想連結によってＳＴＭ−Ｎフレームにマッピングする、または光チャネル・データ・ユニット（ＯＤＵ）を使用して前記ＧＦＰ−Ｔフレームを直接ＯＴＭ−ｎフレームにマッピングする、前記フレーム形成ユニットと結合されているマッピング／連結ユニットをさらに含む請求項６８に記載のＢＴＳ通信システム。
【請求項７１】
前記システムが、
前記ＧＦＰ−Ｔフレームを前記受信されたＳＴＭ−Ｎ／ＯＴＭ−ｎフレームから抽出するフレーム処理ユニットと、
前記抽出されたＧＦＰ−Ｔフレームを復号する復号ユニットと、
前記復号されたＧＦＰ−Ｔフレームを逆多重化して、前記帯域内制御シグナリングおよび前記デジタル無線信号を復元する逆多重化ユニットとをさらに含む請求項６８に記載のＢＴＳ通信システム。
【請求項７２】
前記システムが、
前記受信されたＳＴＭ−Ｎ／ＯＴＭ−ｎフレームを仮想連結バッファリングする仮想連結バッファ・ユニットをさらに含む請求項７１に記載のＢＴＳ通信システム。
【請求項７３】
前記システムが、
前記逆多重化されたデジタル無線信号に対して直列−並列変換を行う、前記逆多重化ユニットと結合されている直列−並列変換ユニットをさらに含む請求項７１に記載のＢＴＳ通信システム。
【請求項７４】
前記符号化ユニットが６４Ｂ／６５Ｂコード・ブロックを使用して符号化を行い、
前記復号ユニットがそれに対応して６４Ｂ／６５Ｂコード・ブロックを使用して復号を行う請求項４３乃至７３のいずれか１項に記載のＢＴＳ通信システム。
【請求項７５】
前記ホストＢＴＳがＢＴＳ基準クロック・ソースを含み、前記ＲＲＵがクロック・リカバリ位相同期ループを含み、前記ＢＴＳ通信システムが、
前記ホストＢＴＳから前記ＲＲＵへのダウン・リンクにおいて、
前記リンク・インターフェイスの前記送信端のＧＦＰフレーミングおよびＶＣ／ＯＤＵマッピング・モジュールにタイミングを提供する前記ホストＢＴＳの前記基準クロック・ソースと、
前記リンク・インターフェイスの前記受信端で、前記デジタル無線信号データ・ストリーム・クロックを復元し、前記復元されたクロックを前記ＲＲＵの基準周波数ソースとして設定する、先入れ先出しメモリの前記占有局に基づく前記位相同期ループである前記クロック・リカバリ位相同期ループと、
前記ホストＲＲＵから前記ホストＢＴＳへのアップ・リンクにおいて、
前記リンク・インターフェイスの前記送信端のＧＦＰフレーミングおよびＶＣ／ＯＤＵマッピング・モジュールに、データを送信するために前記ダウン・リンクで取得された前記同期クロック提供する前記クロック・リカバリ位相同期ループと、
前記リンク・インターフェイスの前記受信端のＧＦＰフレーミング復号およびＶＣ／ＯＤＵデマッピング・モジュールにタイミングを提供する前記ホストＢＴＳの前記基準クロック・ソースとである請求項４３乃至７３のいずれか１項に記載のＢＴＳ通信システム。
【発明の詳細な説明】
【技術分野】
【０００１】
本発明は、移動通信システムで使用される基地局技術に関し、より詳細には、リモート無線ヘッド（Ｒｅｍｏｔｅ  Ｒａｄｉｏ  Ｈｅａｄ：ＲＲＨ）技術を使用した基地局システムでの信号伝送方法およびシステムに関する。
【背景技術】
【０００２】
１．リモート無線ヘッド（ＲＲＨ）技術、集中基地局（Ｃｅｎｔｒａｌｉｚｅｄ  Ｂａｓｅ  Ｔｒａｎｓｃｅｉｖｅｒ  Ｓｔａｔｉｏｎ：ＣＢＴＳ）および信号伝送
図１Ａに示されるように、移動通信システムでは、無線アクセス・ネットワークは、一般に、基地局（Ｂａｓｅ  Ｔｒａｎｓｃｅｉｖｅｒ  Ｓｔａｔｉｏｎ：ＢＴＳ）、および複数のＢＴＳを制御する基地局制御装置（Ｂａｓｅ  Ｓｔａｔｉｏｎ  Ｃｏｎｔｒｏｌｌｅｒｓ：ＢＳＣ）または無線ネットワーク制御装置（Ｒａｄｉｏ  Ｎｅｔｗｏｒｋ  Ｃｏｎｔｒｏｌｌｅｒｓ：ＲＮＣ）で構成される。ＢＴＳは、主にベースバンド処理サブシステム、無線周波数（ＲＦ）サブシステム、およびアンテナなどで構成され、無線信号を送受信し、処理する責任を負う。図１Ｂに示されているように、ＢＴＳは、複数のアンテナによって様々なセルをカバーすることができる。
【０００３】
移動通信システムには、高層ビルの屋内カバレッジ、カバレッジ・ホール、または影領域のカバレッジ（ｃｏｖｅｒａｇｅ  ｏｆ  ｓｈａｄｏｗ  ｚｏｎｅ）など、従来のＢＴＳ技術で解決するにはより難しい無線ネットワーク・カバレッジの問題があり、ＲＲＨ技術は、上記の問題を解決するために提案されている、より効果的な解決策である。ＲＲＨ技術を使用するＢＴＳシステムでは、１次無線周波数ユニットおよびアンテナがカバレッジの提供を要求される領域に取り付けられており、広帯域伝送回線を介してＢＴＳの他のユニットに接続されている。
【０００４】
この技術を、さらに、ＲＲＨ技術を使用するＣＢＴＳ技術に発展させることができる。従来のＢＴＳに比べて、ＲＲＨ技術を使用するＣＢＴＳには、次のような多くの利点がある。集中構造によって、従来のＢＴＳに基づくマクロセルの代わりにいくつかのマイクロセルを使用することができ、したがって、集中構造は、様々な無線環境によりよく適合され、システム能力やカバレッジなどの無線性能を高めることができる。集中構造によって、従来のＢＴＳにおけるソフト・ハンドオフの代わりに、よりソフトなハンドオフを使用することが可能になり、したがって追加の処理ゲインが得られる。また、集中構造によって、貴重なベースバンド信号処理リソースをいくつかのセルによって共有されるリソース・プールにすることができ、その結果、統計多重（Ｓｔａｔｉｓｔｉｃ  Ｍｕｌｔｉｐｌｅｘ）の利点が得られるとともに、システム・コストが低減される。以下の特許、すなわち１９９５年３月２３日に出願された「Ｃｅｌｌｕｌａｒ  ｓｙｓｔｅｍ  ｗｉｔｈ  ｃｅｎｔｒａｌｉｚｅｄ  ｂａｓｅ  ｓｔａｔｉｏｎｓ  ａｎｄ  ｄｉｓｔｒｉｂｕｔｅｄ  ａｎｔｅｎｎａ  ｕｎｉｔｓ」という名称の米国特許第５，６５７，３７４号、および１９９９年６月２８日に出願された「Ｃｅｌｌｕｌａｒ  ｃｏｍｍｕｎｉｃａｔｉｏｎ  ｗｉｔｈ  ｃｅｎｔｒａｌｉｚｅｄ  ｃｏｎｔｒｏｌ  ａｎｄ  ｓｉｇｎａｌ  ｐｒｏｃｅｓｓｉｎｇ」という名称の米国特許第６，３２４，３９１号は、ＲＲＨ技術を使用したＣＢＴＳについての一部の実装の詳細を開示しており、参照により本明細書に組み込まれる。
【０００５】
図２に示されているように、ＲＲＨ技術を使用するＣＢＴＳシステム２００は、中央チャネル処理サブシステム２０１、および統合されて取り付けられている複数のリモート無線ユニット（ＲＲＵ）２０４１、２０４２、・・・、２０４Ｍで構成されている。これらは、広帯域伝送リンクまたはネットワークを介して互いに接続されている。中央チャネル処理サブシステム２０１は、主に、チャネル処理リソース・プール２０２や信号経路配信ユニット２０３などの機能ユニットで構成されている。チャネル処理リソース・プール２０２は、複数のチャネル処理ユニット２０２１、２０２２、・・・、２０２Ｎを統合して積み重ねることによって形成され、ベースバンド信号処理などを行うために使用される。信号経路配信ユニット２０３は、異なるセル・トラフィックに従ってチャネル処理リソースを動的に配信して、複数のセル処理リソースの効率的な共有を達成する。信号経路配信ユニット２０３は、図２に示されているように、ＣＢＴＳ内に配置される以外に、個別機器としてＣＢＴＳ外に配置されてもよい。ＲＲＵ２０４１、２０４２、・・・、２０４Ｍは、主に、伝送チャネルにおける無線周波数電力増幅器、受信チャネルにおける低雑音増幅器、アンテナ（まったく図示せず）などの機能ユニットで構成されている。一般に、中央チャネル処理サブシステム２０１とリモート無線ユニット（ＲＲＵ）２０４１、２０４２、・・・、２０４Ｍとの間のリンクは、光ファイバ、銅線ケーブル、マイクロ波などの伝送媒体を使用することができる。
【０００６】
上述したＲＲＨ技術を使用する２つのＢＴＳシステムにおいて、解決されるべき主な問題は、ＲＲＵとホストＢＴＳとの間の無線信号伝送である。本明細書におけるホストＢＴＳは、ＢＴＳに含まれており、上述したＲＲＨ技術を使用した２つのＢＴＳシステムの無線周波数ユニットを除いてベースバンド処理ユニットを含むユニットを表す。一般に、アナログ中間周波数またはアナログ無線周波数信号伝送方式が採用される。アナログ信号伝送方式を採用することは容易であるが、アナログ回線には例えばノイズなどの妨害成分があり、送信された信号の変調は、非線形歪みをもたらし、さらに、アナログ伝送は、伝送回線の使用を低減させ、大容量多重技術の実装を妨げる可能性があるため、大規模なネットワーキングにおけるアナログ伝送方式の採用は難しい。
【０００７】
こうした問題を解決するために、デジタル信号伝送の方式が以下の２つの特許で提案されている。２００２年６月１１日に出願された「Ａ  ｓｏｆｔ  ＢＴＳ  ｓｙｓｔｅｍ  ｂａｓｅｄ  ｏｎ  ｒｅｍｏｔｅ  ｆｉｂｅｒ  ａｎｄ  ｉｔｓ  ｓｙｎｃｈｒｏｎｉｚａｔｉｏｎ  ｍｅｔｈｏｄ」という名称の中国特許第ＣＮ１４６４６６６号明細書、および２００３年７月２日（優先日は２００２年７月２日）に出願された「Ｔｈｅ  ＢＴＳ  ｓｙｓｔｅｍ  ｉｎ  ｍｏｂｉｌｅ  ｃｏｍｍｕｎｉｃａｔｉｏｎ」という名称の中国特許第ＣＮ１４７１３３１号明細書であり、デジタル・ベースバンド信号伝送の方式は、一般に、伝送帯域幅の要件をできるだけ低減するために使用される。しかし、ＣＮ１４６４６６６は、光ファイバを使用して、ＲＲＵとホストＢＴＳとの間にデジタルＩ／Ｑ（同相／直交）ベースバンド信号を送信する簡単な方法のみを開示しており、つまり、デジタルＩ／Ｑベースバンド信号は、送信端における並列−直列変換によってシリアル・データ・ストリームに変換され、次いで光送信機を介して受信端に送信され、受信端で光受信機によって受信された後、直列−並列変換によってデジタルＩ／Ｑベースバンド信号に復元される。ＣＮ１４７１３３１は、物理層においてＥｔｈｅｒｎｅｔ（登録商標、以下同）技術を使用する伝送技術を提案しており、この技術は、Ｅｔｈｅｒｎｅｔ  ＭＡＣ（媒体アクセス制御）フレームの代わりに特に定義された連続ビット・ストリーム形式を使用する。現在のところ、ＣＰＲＩ（Ｃｏｍｍｏｎ  ｐｕｂｌｉｃ  Ｒａｄｉｏ  Ｉｎｔｅｒｆａｃｅ）という企業団体も、ＲＲＵとホストＢＴＳとの間のデジタル・ベースバンド伝送の標準に関与しており、その技術仕様は、Ｗｅｂサイトｈｔｔｐ：／／ｗｗｗ．ｃｐｒｉ．ｉｎｆｏ／ｓｐｅｃ．ｈｔｍｌから入手可能である。技術仕様は、ＣＮ１４７１３３１で採用されているものに似た技術を採用している。つまり、物理インターフェイスは、１０００ＭＢまたは１０ＧＢ  Ｅｔｈｅｒｎｅｔ標準を使用し、上位層は、ユーザ定義された連続ビット・ストリーム形式を使用するが、ＣＰＲＩは、ポイント・ツー・ポイントの形のスター・ネットワーキングのみをサポートし、ＣＮ１４７１３３１は、ハブに基づいてリンク・カバレッジをサポートすることができる。
【０００８】
一方、バックボーン・ネットワーク、および広帯域メトロポリタン・エリア・ネットワーク（ＭＡＮ）では、ＤＷＤＭ（高密度波長多重伝送）／ＣＷＤＭ（低密度波長分割多重）などの波長分割多重技術に基づくＳＤＨ（同期デジタル・ハイアラーキ）およびＯＴＮ（光伝送ネットワーク）が広範に使用されているが、ＲＲＵとホストＢＴＳとの間のデジタル伝送の既存の技術は、特別なトランスポート・プロトコルおよび仕様を使用していており、したがって、既存の通信ネットワークにおいて既存の成熟した広帯域伝送リソースを使用することは難しいため、ネットワーキング・コストが増し、さらに、ＲＲＵとホストＢＴＳとの間のデジタル伝送の既存の技術では、柔軟性のないネットワーキングや複雑な保守および管理などの問題がある。
【０００９】
２．汎用フレーミング手順（ＧＦＰ）
汎用フレーミング手順（Ｇｅｎｅｒｉｃ  Ｆｒａｍｉｎｇ  Ｐｒｏｃｅｄｕｒｅ：ＧＦＰ）は、ＩＴＵ−ＴおよびＡＮＳＩによって共同で推奨され、ブロック符号化またはパケット・タイプのデータ・ストリームを連続的なバイト同期伝送チャネルに適合させるために使用されており、一般的な例として、ＳＤＨ（同期デジタル・ハイアラーキ）やＯＴＮ（光伝送ネットワーク）のような新しい技術などがあり、その詳細な技術仕様については、ＩＴＵ−Ｔ  Ｇ．７０４１またはＡＮＳＩ  Ｔ１Ｘ１．５／２０００−０２４Ｒ３を参照することができ、これらは参照により本明細書に組み込まれる。ＧＦＰは、ＰＤＵ（プロトコル・データ単位）をサポートするフレーム・マッピングＧＦＰ（ＧＦＰ−Ｆ）およびブロック符号化をサポートする透過ＧＦＰ（ＧＦＰ−Ｔ）に分類することができる。ＧＦＰ−Ｆは、ＰＰＰ（ポイント・ツー・ポイント・プロトコル）、ＭＰＬＳ（マルチプロトコル・ラベル・スイッチング）、およびＥｔｈｅｒｎｅｔ  ＭＡＣ（媒体アクセス制御）などのようにプロトコル・パケットの適合に使用することができ、ＧＦＰ−Ｔは、１０００ＭＢ  Ｅｔｈｅｒｎｅｔ回線などにおけるブロック符号化文字ストリームを直接適合するために使用することができ、したがって、ほとんど時間遅延がないことを求める一部の用途の要件を満たすことはできるが、ＧＦＰ−Ｔ転送帯域幅の使用は、ＧＦＰ−Ｆ転送帯域幅のものより低い。
【００１０】
図３に、ＧＦＰ−Ｔタイプのフレーム構造が図示されている。ＧＦＰ−Ｔフレームは、コア・ヘッダーおよびペイロード部分で構成されており、ペイロード部分は、ペイロード・ヘッダー、ペイロード、および選択可能なペイロードＦＣＳ（フレーム・チェック・シーケンス）を含む。コア・ヘッダーは、ペイロード長を示すＰＬ１フィールド、およびＡＴＭ（非同期転送モード）セルの区切りと似たＧＦＰフレームの区切りとして機能し、コア・ヘッダーの誤り保護を提供するコア・ヘッダー・エラー制御フィールド（ｃＨＥＣ）を含む。ペイロード・ヘッダーは、ペイロード・タイプを示し、ｃＨＥＣによる誤り保護を提供する。ペイロード・タイプ識別子（ＰＴＩ）は、「０００」であるとき、ＧＦＰ−Ｔフレームがユーザ・データを運ぶことを示し、「１００」であるとき、ＧＦＰ−Ｔフレームがクライアント管理情報を運ぶことを示し、ペイロードＦＣＳインジケータ（ＰＦＩ）は、ペイロードＦＣＳがあるかどうかを示す。ユーザ・ペイロード識別子（ＵＰＩ）およびＰＴＩは共に、表１および表２に示されているように、ペイロードのユーザ・データまたはクライアント管理情報のタイプを示す。
【表１】
2007533179.tif 000003
【表２】
2007533179.tif 000004
【００１１】
さらに、拡張ヘッダー識別子（ＥＸＩ）は、選択可能な拡張ヘッダーの存在およびそのタイプを示しており、現在、拡張ヘッダーの一般的な使用は、チャネル識別子（ＣＩＤ）を提供し、したがって、複数の個別のクライアント信号の多重送信をサポートすることである。図３に示されているように、ＧＦＰ−Ｔフレームのペイロードは、６４Ｂ／６５Ｂコード・ブロックによって連続的に形成された固定長のスーパー・ブロックである。透過ＧＥＰの直接の適合は、現在、８Ｂ／１０Ｂのライン・コードのブロック符号化文字ストリームを使用するため、６４Ｂ／６５Ｂコード・ブロックは、ユーザ・データ文字および制御文字を含んでおり、そのため、フラグ・ビットは、６４Ｂ／６５Ｂコード・ブロック（図３のＬ１、Ｌ２、・・・Ｌ８によって示されるビット）に制御文字があるかどうかを示すために使用され、制御文字の上位４ビットは、次の制御文字の指示、および元の８Ｂ／１０Ｂコード・ストリームにおける制御コードの位置の指示として使用され、下位４ビットは、制御コード自体を送信するために使用される。
【００１２】
クライアント信号の送信を確実にするために、ＳＤＨ／ＯＴＮなどの伝送チャネルの帯域幅は、ＧＦＰフレームによって必要とされる帯域幅よりわずかに広い必要があり、ＧＦＰ−Ｔフレームの各スーパー・ブロックのサイズは５３６ビットであるため、ＧＦＰ−Ｔフレームのビット長、Ｌは、次のように示すことができる。
【数１】
2007533179.tif 000005
Ｎは、ＧＦＰ−Ｔフレーム内のスーパー・ブロックの数であり、Ｌｏｖｅｒｈｅａｄは、ＧＦＰ−Ｔフレーム内のコア・ヘッダー、ペイロード・ヘッダー、および選択可能ペイロードＦＣＳなどのオーバーヘッド長である。元のクライアント信号レートがＢＣビット／ｓであり、ＳＤＨ／ＯＴＮなどの伝送チャネルの帯域幅がＢＴビット／ｓである場合、各スーパー・ブロックは、５１２ビットのクライアント信号ストリームを運ぶことができることを考えて、ＧＦＰ−Ｔ内のスーパー・ブロックの数、Ｎは、以下の式を満たすはずである。
【数２】
2007533179.tif 000006
【００１３】
そのため、上記の条件を満たすためにＧＦＰ−Ｔフレームによって必要とされるスーパー・ブロックの最低数、Ｎは、
【数３】
2007533179.tif 000007
であり、式中、記号［ｘ］は、ｘ以上の最小整数を示す。
【００１４】
３．仮想連結（ＶＣＡＴ）技術
ＳＤＨ／ＯＴＮのＳＴＭ−Ｎ／ＯＴＭ−ｎ標準伝送回線は、いくつかの多重ルールに従って、固定レートの一部の一般的な仮想コンテナ（ＶＣ）を多重化することによって形成される。例えば、ＳＤＨの基本的なＶＣは、ＶＣ−１１、ＶＣ−１２、ＶＣ−２、ＶＣ−３、およびＶＣ−４を含んでおり、ＶＣ−４は、さらに、表３に示されているように、順次連結（ｓｅｑｕｅｎｔｉａｌ  ｃｏｎｃａｔｅｎａｔｉｏｎ）によって、より高いレートの４つのＶＣ、ＶＣ−４−４ｃ、ＶＣ−４−１６ｃ、ＶＣ−４−６４ｃ、およびＶＣ−４−２５６ｃを形成することができる。
【表３】
2007533179.tif 000008
【特許文献１】米国特許第５，６５７，３７４号
【特許文献２】米国特許第６，３２４，３９１号
【特許文献３】中国特許第ＣＮ１４６４６６６号明細書
【特許文献４】中国特許第ＣＮ１４７１３３１号明細書
【非特許文献１】ｈｔｔｐ：／／ｗｗｗ．ｃｐｒｉ．ｉｎｆｏ／ｓｐｅｃ．ｈｔｍｌ
【発明の開示】
【発明が解決しようとする課題】
【００１５】
有限数の固定レートのＶＣを使用する技術は、ＳＤＨ多重設計を簡略化し、Ａｄｄ／Ｄｒｏｐ多重、およびデジタル・クロス・コネクトの実現を容易にしているが、特定のＶＣレートを適合させるためにたくさんの埋め込みが必要であるため、伝送効率が影響を受ける。仮想連結（ＶＣＡＴ）技術によって、同じレートを有する複数のＶＣを逆多重化することによって、伝送帯域幅でのより多くの選択を提供することができ、そのため、伝送効率の問題が解決される。しかし、それぞれのＶＣが個別の伝送パスを介して受信端に到着するため、伝送遅延による差を無くすために、受信端に何らかのバッファが必要となる。
【課題を解決するための手段】
【００１６】
既存の技術でＲＲＵとホストＢＴＳとの間の無線信号伝送の問題を解決するために、本発明の目的は、ＲＲＨ技術に基づく無線ＢＴＳの信号伝送方法およびシステムを提供する。ＲＲＵとホストＢＴＳとの間の有効な無線信号伝送は、特定の伝送ネットワーク無しに実現でき、したがって、既存の通信伝送ネットワークにおける既存の帯域幅リソースを使用することによって、特に、ＲＲＵとホストＢＴＳとの間の既存の技術でＳＤＨ／ＯＴＮに基づく伝送技術に直接アクセスする、つまりＳＴＮ−Ｎ／ＯＴＭ−ｎ標準インターフェイスを直接採用することによってネットワーキング・コストを低減することができる。
【００１７】
本発明の別の目的は、完全な回線保護および自己修復機構、柔軟なネットワーキング方式、およびＳＤＨ／ＯＴＮに固有の成熟したネットワーク管理機能を使用することによって、ＲＲＵとホストＢＴＳとの間の信号伝送によって必要とされる管理および保守の操作を簡略化することである。
【００１８】
本発明の一態様によれば、ホストＢＴＳと１つまたは複数のＲＲＵとの間の信号伝送方法が提案されており、ホストＢＴＳと１つまたは複数のＲＲＵとの間の伝送チャネルは、広帯域伝送リンクまたはネットワークを使用して通信し、この方法は、同期デジタル・ハイアラーキ（ＳＤＨ）／光伝送ネットワーク（ＯＴＮ）を使用して伝送チャネルを介して伝送を行う工程と、伝送チャネルを介して送信されるデジタル無線信号データ・ストリームおよび帯域内制御シグナリング・ストリームを汎用フレーミング手順（ＧＦＰ）フレームに形成する工程と、ＧＦＰフレームをＳＴＭ−Ｎ／ＯＴＭ−ｎフレームにマッピングし、それによってデジタル無線信号データ・ストリームおよび帯域内制御シグナリング・ストリームを多重化してＳＤＨ／ＯＴＮベースの伝送を実現する工程とを含む。
【００１９】
本発明の別の態様によれば、ホストＢＴＳと１つまたは複数のリモート無線ユニットとの間の信号伝送のＢＴＳ通信システムが提案され、ホストＢＴＳと１つまたは複数のＲＲＵとの間の伝送チャネルは、広帯域伝送リンクまたはネットワークを使用して通信し、ＢＴＳ通信システムは、少なくとも、伝送チャネルに配置されている同期デジタル・ハイアラーキ（ＳＤＨ）／光伝送ネットワーク（ＯＴＮ）通信インターフェイスを含み、この通信インターフェイスは、通信チャネルを介して送信されるデジタル無線信号データ・ストリームおよび帯域内制御シグナリング・ストリームを、汎用フレーミング手順（ＧＦＰ）フレームに形成するために使用され、汎用フレーミング手順（ＧＦＰ）フレームがさらにＳＴＮ−Ｎ／ＯＴＮ−ｎフレームにマッピングされ、それによってデジタル無線信号データ・ストリームおよび帯域内制御シグナリング・ストリームを多重化することによって、ＳＤＨ／ＯＴＮベースの伝送が実現する。
本発明は、本発明の好ましい実施形態を添付の図面と併せ読めばよりよく理解される。
【発明を実施するための最良の形態】
【００２０】
本発明の目的、利益、および有利な効果は、本発明の以下の詳細な説明を添付の図面と併せ読めばより明らかに理解される。
【００２１】
上述したように、既存の技術でＲＲＵとホストＢＴＳとの間のデジタル無線信号伝送の問題を解決するために、本発明は、ＲＲＵとホストＢＴＳとの間のデジタル無線信号伝送の技術を提案しており、これは、既存の通信伝送ネットワーク技術との互換性があり、既存のＳＤＨ／ＯＴＭ伝送ネットワークにアクセスすることができる。提案された技術は、ＳＤＨ／ＯＴＮ伝送ネットワークにおけるＳＴＭ−Ｎ／ＯＴＭ−ｎ標準インターフェイスを直接採用するため、特定の伝送ネットワーク無しに、ＲＲＵとホストＢＴＳとの間のデジタル無線信号伝送を実現することができる。
【００２２】
完全な回線保護および自己修復機構、柔軟なネットワーキング方式、およびＳＤＨ／ＯＴＭに固有の成熟したネットワーク管理機能のため、ＲＲＵとホストＢＴＳとの間の信号伝送の管理および保守の操作がかなり簡略化される。さらに、ＳＤＨは、徐々に、複数のサービス伝送を可能にするＭＳＴＰ（マルチサービス・トランスポート・プラットフォーム）ネットワークに発展していったため、本発明によれば、同じ伝送ネットワークを使用して、ＲＲＵとホストＢＴＳとの間、ＢＴＳとＢＳＣ／ＲＮＣとの間、およびＢＴＳとＢＴＳ（無線アクセス・ネットワークの新しい構造）との間を含めて、無線アクセス・ネットワーク内の様々なノード間のデータ伝送を実現することができ、したがって、本発明の提案された技術は、ネットワーク構築の複雑さおよびコストを大幅に減らすことができるとともに、ネットワークの柔軟性が高く、保守が容易であるという利点もある。
【００２３】
ＲＲＵとホストＢＴＳとの間に送信されるデジタル無線信号データ・ストリーム以外に、他の制御、管理、および運転保守データ（以下、帯域内制御シグナリングと呼ぶ）がある。制御および管理情報は、上述したように、ＲＲＵとホストＢＴＳとの間のリンクの構築および変更などの制御シグナリング、レート交渉、データ形式、および運転モード交渉などを含む。伝送リンクの保守およびフォールト・トレランスは、主に、本発明における成熟したＳＤＨ／ＯＴＮ伝送技術を使用して伝送ネットワーク自体によって実現されるため、リンク非同期、障害などの指示情報に加えて、運転および保守（Ｏ＆Ｍ）情報は、主にＲＲＵのＯ＆Ｍ情報である。
【００２４】
本発明によれば、デジタル無線信号データ・ストリーム伝送における伝送遅延は、できるだけ小さくする必要があるため、デジタル無線データ・ストリームおよびその帯域内制御シグナリングを、ＧＦＰフレーム構造を使用することによってＳＴＭ−Ｎ／ＯＴＮ−ｎフレームにマッピングすることができ、したがって、ＳＤＨ／ＯＴＮベースの伝送を実現することができる。本発明では、ＧＦＰ−Ｔでの８Ｂ／１０Ｂ符号化／復号操作は省略される。本発明は、帯域内制御シグナリングおよびデジタル無線信号データ・ストリームを多重化する複数の方式を提案しており、したがって、デジタル無線信号データ・ストリームおよび対応する帯域内制御シグナリングを、同じ伝送チャネルを介して同時に送信することができる。本発明は、ＧＦＰプロトコルの拡張であるため、ＧＦＰのソフトウェアおよびハードウェアの設計のほとんどは、特定の実装で直接使用することができ、そのため、実装の困難さの度合いが大幅に低減される。
【００２５】
１．デジタル無線信号データ・ストリームおよび帯域内制御シグナリングの多重化、およびＳＴＭ−Ｎ／ＯＴＭ−ｎフレーム・マッピング
１．１  クライアント管理フレーム（ＣＭＦ）を使用した帯域内制御シグナリングの伝送
図４は、本発明によるＲＲＵとホストＢＴＳとの間の信号伝送の方式を図示する。具体的には、図４Ａおよび４Ｂは、本発明の第１の実施形態によるホストＢＴＳと１つまたは複数のリモート無線ユニットとの間のＳＤＨ／ＯＴＮベースの伝送を図示している。この方式では、帯域内制御シグナリングは、ＧＦＰ−Ｔクライアント管理フレーム（ＣＭＦ）（ＰＴＩ＝１００）の形で送信され、適切なスケジュールが作成された後、デジタル無線信号データ・ストリームを送信するＧＦＰ−Ｔクライアント・データ・フレームで使用されていない帯域幅を使用して送信される。ＵＰＩ＝０００００００１およびＵＰＩ＝００００００１０の定義は、既存のＧＦＰプロトコルでのもの、すなわちリンク非同期、障害など、表１および２に示されている指示情報と同じであり、帯域内制御シグナリングを運ぶＣＭＦフレームのＵＰＩは、００００００１１と１１１１１１１０との間の確保されている値を使用することができる。帯域内制御シグナリングは、異なる制御メッセージに分解することができ、異なるＵＰＩ値を区別するために、それらをそれぞれ定義することができる。
【００２６】
ＣＭＦフレームを使用する帯域内制御シグナリングの伝送は、残りの伝送帯域幅を有効に使用することができるが、受信端でのデジタル無線信号クライアント・データ・ストリームのクロック・リカバリの影響をできるだけ低減し、伝送遅延を有効に制御するために、ＧＦＰ仕様の提案に従って、各ＣＭＦフレームのペイロードをできるだけ小さく（一般に８バイト未満）すべきであり、ユーザ・データ・フレームは、ＣＭＦフレームと比べてより高い優先度を有するべきであり、すなわち、クライアント信号入力バッファがヌルに近い（ここでは６５Ｂ＿ＰＡＤ埋め込み文字の使用が必要）ときだけＣＭＦフレームが送信されるべきであり、毎回単一のＣＭＦフレームのみを送信することができ、さらに、帯域内制御シグナリングの信頼性を向上させるために、ペイロードＦＣＳを使用して、帯域内制御シグナリングの伝送の誤り保護を提供することができる。
【００２７】
図４Ａに示されているように、送信端で、サンプリングされたデジタル無線信号は、並列−直列変換にかけられた後、６４Ｂ／６５Ｂ符号化ユニットによって６４Ｂ／６５Ｂコード・ブロックにマッピングされ、次いで、ＧＦＰ−Ｔクライアント・データ・フレームに形成される。デジタル無線信号データ・ストリームは８Ｂ／１０Ｂライン・コード・ストリームではないため、各６４Ｂ／６５Ｂコード・ブロックは、６５Ｂ＿ＰＡＤ埋め込み文字のみを含んでおり、他の任意の制御文字は含まない。一方、上述したように、帯域内制御シグナリング・ストリームも、ＣＭＦフレーム（リンク非同期や障害などの指示情報のための定義済みＣＭＦフレームも含む）に形成することができる。６５Ｂ＿ＰＡＤ埋め込み文字が必要なときだけ、デジタル無線信号ストリームを運ぶクライアント・データ・フレーム間の間隙に、単一のＣＭＦフレームを送信することができ、既存の技術に従って、多重化されたＧＦＰフレームをＳＴＭ−Ｎ／ＯＴＭ−ｎフレームにマッピングすることができ、したがってＳＤＨ／ＯＴＮベースの伝送を実現することができる。ＳＤＨ伝送が使用される場合、多重化されたＧＦＰフレームは、まずＶＣにマッピングされ、次いでＳＴＭ−Ｎフレームに形成される。一般に、デジタル無線信号のデータ・レートは、基本のＶＣレートよりかなり速いため、上述したように順次連結または仮想連結が必要であり、ＶＣＡＴ技術を使用すると帯域幅使用率は高いが、伝送遅延が増大するため、高速電力制御技術を採用する一部の移動通信システムにおいて、アップ／ダウン・リンクにおける伝送遅延の要件を満たすことができない。ＯＴＮでは、ＯＤＵ（光チャネル・データ・ユニット）連結のやり方はもっぱらＶＣＡＴであり、ＯＤＵレートが非常に速いため、ＲＲＵとホストＢＴＳとの間の無線信号伝送は、仮想連結ＯＤＵを使用しない。
【００２８】
図４Ｂに示されているように、受信端で、最初は、必要なＶＣ／ＯＤＵがＳＴＭ−Ｎ／ＯＴＭ−ｎフレームから分離され（仮想連結ＶＣを使用している場合、それぞれのＶＣの伝送遅延間の差を無くすために、何らかのバッファが必要である）、ペイロードＧＦＰフレームが抽出され、次いでＣＭＦフレームがクライアント・データ・フレームから分離される。ＣＭＦフレームから帯域内制御シグナリング・ストリームが得られ、クライアント・データ・フレームでは、最初に６４Ｂ／６５Ｂコード・ブロックが得られ、次いで、６４Ｂ／６５Ｂコード・ブロックが６４Ｂ／６５Ｂ復号ユニットおよび直列−並列変換ユニットにかけられた後、デジタル無線信号データ・ストリームが復元される。
【００２９】
１．２  制御文字を使用して帯域内制御シグナリングを送信する方式
図５は、本発明によるＲＲＵとホストＢＴＳとの間の信号伝送の別の方式を示す。具体的には、図５Ａおよび５Ｂは、本発明の第２の実施形態によるホストＢＴＳとリモート無線ユニットとの間のＳＤＨ／ＯＴＮベースの伝送を図示している。この方式は、６４Ｂ／６５Ｂコード・ブロック制御文字ビットを使用して、帯域内制御シグナリングを送信する。図５Ａに示されているように、送信端で、サンプリングされたデジタル無線信号は、並列−直列変換にかけられた後、６４Ｂ／６５Ｂ符号化ユニットによって６４Ｂ／６５Ｂコード・ブロックにマッピングされ、次いでＧＦＰ−Ｔクライアント・データ・フレームに形成される。６４Ｂ／６５Ｂコード・ブロックは、デジタル無線信号データ文字以外に、２種類の制御文字、つまり埋め込み文字および帯域内制御シグナリング・ストリーム文字（ｉｎ−ｂａｎｄ  ｃｏｎｔｒｏｌ  ｓｉｇｎａｌｉｎｇ  ｓｔｒｅａｍ  ｃｈａｒａｃｔｅｒ）を含むことができる。帯域内制御シグナリング・ストリーム文字は、次のスケジュール手順に従って６４Ｂ／６５Ｂ符号化ユニットに入ることができる。デジタル無線信号データ・ストリーム入力バッファがヌルに近いとき、帯域内制御シグナリング・ストリーム入力バッファがヌルではない場合、帯域内制御シグナリング・ストリーム文字は、制御文字として６４Ｂ／６５Ｂ符号化ユニットに入り、そうでない場合は、埋め込み文字によって埋められる。図５Ｂに示されているように、受信端でのプロセスは、６４Ｂ／６５Ｂ復号ユニットがデジタル無線信号と帯域内制御シグナリングとを分離することを除いて、送信端でのプロセスと逆であり、他のプロセスは、図４Ｂに示されているものと同じである。
【００３０】
上述したように、ＧＦＰ仕様では、制御コードを送信するために６４Ｂ／６５Ｂコード・ブロックの制御文字の下位４ビットのみが使用されるのに対して、次の制御文字の指示、および元の８Ｂ／１０Ｂコード・ストリームにおける制御コードの位置識別子として、上位４ビットが使用される。本発明では８Ｂ／１０Ｂ符号化は使用されないため、制御文字は、帯域内制御シグナリングを送信するために使用されるとともに、埋め込み文字としても使用されるため、制御文字のビットを再定義するために必要である。例示のための非制限の例として、図９は、制御文字の定義の一種を示しており、最上位ビットｂ７の定義は、元のＧＦＰ仕様でのものと同じであり、すなわち、６４Ｂ／６５Ｂコード・ブロックでの以降のバイトが制御文字であるかどうかを示し、ｂ６は、制御文字が埋め込み文字であるかどうかを示すために使用され、ｂ５／ｂ４は、将来の拡張用の予備であり、下位４ビットは、帯域内制御シグナリングを送信するために使用される。
【００３１】
１．３  帯域内制御シグナリング・リンク層パケットをＧＦＰ−Ｆフレームにマッピングする多重方式
図６は、本発明によるＲＲＵとホストＢＴＳとの間の信号伝送の別の方式を示す。具体的には、図６Ａおよび６Ｂは、本発明の第３の実施形態によるホストＢＴＳとリモート無線ユニットとの間のＳＤＨ／ＯＴＮベースの伝送を図示している。この方式の技術は、デジタル無線信号データ・ストリームおよび帯域内制御シグナリング・リンク層パケットを同時に送信するために、ＧＦＰフレームレベル多重を採用している。つまり、図６Ａに示されているように、帯域内制御シグナリング層パケットは、フレーム・マッピング・モードのＧＦＰ（ＧＦＰ−Ｆ）によって運ばれ、デジタル無線信号データ・ストリームに関してＧＦＰフレームレベル多重化された別の独立したクライアント信号とみなされる。また、図６Ｂでは、それに応じてデジタル無線信号ＧＦＰ−Ｔフレームおよび帯域内制御シグナリングＧＦＰ−Ｆフレームが逆多重化され、デジタル無線信号データ・ストリームおよび帯域内制御シグナリング・リンク層パケットが、それぞれＧＦＰ−Ｔフレーム処理およびＧＦＰ−Ｆフレーム処理によって復元される。デジタル無線信号データ・ストリームおよび帯域内制御シグナリング・リンク層パケットは、異なるモードのＧＦＰフレームを使用するため、他の任意の識別子無しに互いに適切に分離されることができる。
【００３２】
帯域内制御シグナリング・リンク層パケットはより大きいので、デジタル無線信号データ・ストリーム伝送およびクロック・リカバリにおける時間遅延に対して欠点があり、この問題を解決するために、本発明に従って以下の対策を使用することができる。（１）より小さい制御シグナリング・リンク層パケットを使用して、例えば、より小さい最大伝送単位（ＭＴＵ）を選択して、つまり、伝送効率を包括的に考える（ＭＴＵが小さければ小さいほど、パケット・ヘッドのコストが高くなり、伝送効率が下がる）ことによってＭＴＵの適切な値を決定して、上記の欠点をできるだけ低減する。（２）図６Ａに示されているＧＦＰフレームレベル多重のスケジューリングで、デジタル無線信号データ・ストリームを運ぶＧＦＰ−Ｔフレームが最初に送信され、デジタル無線信号データ・ストリーム入力バッファがヌルに近いときだけ、帯域内制御シグナリング・リンク層パケットを運ぶＧＦＰ−Ｆフレームを送信することができる。
【００３３】
１．４  帯域内制御シグナリングをＧＦＰ−Ｔフレームにマッピングする多重方式
図７は、本発明によるＲＲＵとホストＢＴＳとの間の信号伝送の別の方式を示す。具体的には、図７Ａおよび７Ｂは、本発明の第４の実施形態によるホストＢＴＳとリモート無線ユニットとの間のＳＤＨ／ＯＴＮベースの伝送を図示している。この方式の技術は、デジタル無線信号データ・ストリームおよび帯域内制御シグナリングを同時に送信するために、ＧＦＰフレームレベル多重を採用している。つまり、図７Ａに示されているように、帯域内制御シグナリングは、デジタル無線信号データ・ストリームに関してＧＦＰフレームレベル多重化された別の独立したクライアント信号とみなされる。また、図７Ｂでは、それに応じてデジタル無線信号ＧＦＰ−Ｔフレームおよび帯域内制御シグナリングＧＦＰ−Ｔフレームが逆多重化され、帯域内制御シグナリングおよびデジタル無線信号は、それぞれ復号することによって、互いに分離される。他の送信および受信プロセスは、上記の方式のものに似ている。
【００３４】
本発明によれば、受信端でのデジタル無線信号データ・ストリームのクロック・リカバリへの影響を無くし、伝送遅延を低減するために、ＧＦＰフレームレベル多重が採用されているとき、デジタル無線信号ＧＦＰ−Ｔフレームおよび帯域内制御シグナリングＧＦＰ−Ｆフレームは、固定配信（ｆｉｘｅｄ  ｄｉｓｔｒｉｂｕｔｉｏｎ）のやり方でスケジュールされることが望ましい。つまり、マッピングされた帯域内制御シグナリングＧＦＰ−Ｆフレームは、Ｍ（Ｍ≧１）個のデジタル無線信号ＧＦＰ−Ｔフレームがすべて送信されると、１つ送信され、何らかの入力バッファがヌルである場合は、埋められる。さらに、上述したように、複数のクライアント信号の多重をサポートするために、すなわちデジタル無線信号データ・ストリームおよび帯域内制御シグナリングが対応するＧＦＰ−Ｔフレームを適切に分離するために、ＧＦＰ−Ｔフレーム内のペイロード・ヘッダーがチャネル識別子（ＣＩＤ）を提供する拡張ヘッダーを追加する必要がある。
【００３５】
１．５  デジタル無線信号データ・ストリームおよび帯域内制御シグナリングの時分割多重方式
図８は、本発明によるＲＲＵとホストＢＴＳとの間の信号伝送の別の方式を示す。具体的には、図８Ａおよび８Ｂは、本発明の第５の実施形態によるホストＢＴＳとリモート無線ユニットとの間のＳＤＨ／ＯＴＮベースの伝送を図示している。この方式の技術は、１つのＧＦＰ−Ｔフレーム内のデジタル無線信号データ・ストリームおよび帯域内制御シグナリングを多重化して、ＴＤＭ技術を使用して単一のクライアント信号データ・ストリームを形成し、次いで単一のクライアント信号データ・ストリームは、ＧＦＰ−Ｔフレームに形成され、さらに、６４Ｂ／６５Ｂ符号化ユニットおよび図８Ａに示されている他のユニットによって送信されるべきＳＴＭ−Ｎ／ＯＴＭ−ｎフレームにマッピングされる。上述したような１つのＧＦＰ−Ｔフレーム内の時分割多重は、固定長の各ＧＦＰ−Ｔフレームによって送信されたクライアント信号データ・ブロックを固定サイズの２つの領域に分割することを意図している。一方の領域は、デジタル無線信号データ・ストリームを送信するために使用され、他方は、帯域内制御シグナリングを送信するために使用され、１つのＧＦＰ−Ｔフレーム内の時分割多重を採用する理由は、各ＧＦＰ−Ｔフレームは、多重化されたデータ・ブロックの境界を画定することができ、したがって、デジタル無線信号データ・ストリーム、および帯域内制御シグナリングを互いに分離し、予め定められたＴＤＭ構造に従って抽出できるからである。図８Ｂに示されているように、受信端でのプロセスは、最後に逆多重化ユニットがデジタル無線信号を帯域内制御シグナリングから分離することを除いて、送信端でのプロセスと逆であり、他のプロセスは、図４Ｂに示されているものと同じである。さらに、帯域内制御シグナリングは、連続したビット・ストリームではないため、各帯域内制御シグナリング伝送期間中に送信される帯域内制御シグナリング・データがない場合、埋め込みに６５Ｂ＿ＰＡＤ埋め込み文字が使用される。
【００３６】
２．クロック・リカバリおよびカウント
無線通信システムにおいて、ＢＴＳの無線周波数ユニットの周波数安定性は、比較的高い、すなわち一般に最高０．０５ｐｐｍの精度であることが必要であり、したがって、ＲＲＵにおいて高安定性の同期クロック信号が復元される必要があり、また、ＲＲＵとホストＢＴＳとの間のデジタル無線信号データ・ストリームを送信するために、受信／送信端のクロックが同期される必要がある。
【００３７】
図１０は、本発明によるクロック・リカバリおよびＲＲＵタイミングを示す概略図である。ホストＢＴＳは、高安定性の基準クロック・ソースを使用する。基準クロック・ソースは、ホストＢＴＳの他のユニットのタイミングを提供することができ、また、ダウン・ストリームでは、ＲＲＵ広帯域リンク・インターフェイスの送信端のＧＦＰフレーミングおよびＶＣ／ＯＤＵマッピングなどのモジュールのタイミングを提供することができ、ＲＲＵ広帯域リンク・インターフェイスの受信端は、ＦＩＦＯ（先入れ先出し）の占有局（ｏｃｃｕｐａｔｉｏｎ  ｓｔａｔｉｏｎ）に基づくＰＬＬ（位相同期ループ）を使用して、デジタル無線信号データ・ストリーム・クロックを復元し、復元されたクロックは、ＲＲＵの基準周波数ソースとして使用することもできる。アップ・ストリームでは、ＲＲＵ広帯域リンク・インターフェイスの送信端のＧＦＰフレーミングおよびＶＣ／ＯＤＵマッピングなどのモジュールは、ダウン・ストリームから取得された同期クロックを使用してデータを送信し、ホストＢＴＳ広帯域リンク・インターフェイスの受信端は、上記の基準クロック・ソースを使用して、ＧＦＰフレーム復号およびＶＣ／ＯＤＵデマッピングなどのモジュールのタイミングを提供する。さらに、受信／送信端のＳＴＮ−Ｎ／ＯＴＭ−ｎインターフェイスのクロックは、上記のクライアント・データ・クロックを使用する代わりに、ＳＤＨ／ＯＴＮ回線を介して直接抽出される。
【００３８】
３．帯域内制御シグナリングのリンク層技術
上記の伝送方式では、帯域内制御シグナリング・リンク層パケットがＧＦＰ−Ｆフレームにマッピングされる多重方式を除いて、他の伝送方式、つまりクライアント管理フレームを使用して帯域内制御シグナリングを送信する方式、制御文字を使用して帯域内制御シグナリングを送信する方式、帯域内制御シグナリングをＧＦＰ−Ｔフレームにマッピングする多重方式、およびデジタル無線信号データ・ストリームおよび帯域内制御シグナリングの時分割多重方式は、帯域内制御シグナリングの物理層伝送方法を提供するだけであり、帯域内制御シグナリング・ストリームをデジタル無線信号データ・ストリームから抽出することはできるが、すべてのリンク層パケットを区別できるわけではない。
【００３９】
したがって、本発明によれば、帯域内制御シグナリングのリンク層パケットが、パケット化機能および区切り機能の構造を有しているＨＤＬＣ（ハイレベル・データ・リンク制御）フレームまたはＡＴＭセルなどである場合、対応するＨＤＬＣフレームまたはＡＴＭセルは、ＨＤＬＣまたはＡＴＭに固有の特徴を使用して区切ることができ、帯域内制御シグナリングのリンク層パケットが、パケット化機能および区切り機能の構造を有していないＰＰＰ、Ｅｔｈｅｒｎｅｔ  ＭＡＣフレームなどである場合、または直接ＩＰパケットである場合、対応する機能層を追加する必要がある。一般に、ＰＰＰパケットの場合、フレームは、ＨＤＬＣまたはＧＦＰ−Ｆによって形成することができ、ＩＰパケットの場合、フレームは、まずＰＰＰで運ばれ、次いでＨＤＬＣまたはＧＦＰ−Ｆによって形成することができ、Ｅｔｈｅｒｎｅｔ  ＭＡＣフレームの場合、フレームは、ＧＦＰ−Ｆによって形成することができる。
【００４０】
ＲＲＨに基づく無線ＢＴＳ信号伝送方法およびシステムが、添付の図面との関連で上記に開示されているが、この開示は、本発明を限定するためのものではない。本発明の添付の特許請求の範囲から逸脱することなく、本発明の原理に従って本発明に様々な変更および改良が加えられてもよいことを当業者は理解されよう。
【図面の簡単な説明】
【００４１】
【図１】図１Ａは、従来の移動通信システムにおける無線アクセス・ネットワークの構造を示し、図１Ｂは、従来の移動通信システムにおけるＢＴＳシステムの基本的な構造を示す図である。
【図２】ＲＲＨ技術を使用するＣＢＴＳシステムの構造を示す図である。
【図３】ＧＦＰによるブロック符号化文字ストリームのＧＦＰ−Ｔフレーム構造を示す図である。
【図４】本発明の第１の実施形態によるホストＢＴＳと１つまたは複数のリモート無線ユニットとの間のＳＤＨ／ＯＴＮベースの伝送を示す図である。
【図５】本発明の第２の実施形態によるホストＢＴＳと１つまたは複数のリモート無線ユニットとの間のＳＤＨ／ＯＴＮベースの伝送を示す図である。
【図６】本発明の第３の実施形態によるホストＢＴＳと１つまたは複数のリモート無線ユニットとの間のＳＤＨ／ＯＴＮベースの伝送を示す図である。
【図７】本発明の第４の実施形態によるホストＢＴＳと１つまたは複数のリモート無線ユニットとの間のＳＤＨ／ＯＴＮベースの伝送を示す図である。
【図８】本発明の第５の実施形態によるホストＢＴＳと１つまたは複数のリモート無線ユニットとの間のＳＤＨ／ＯＴＮベースの伝送を示す図である。
【図９】本発明の第２の実施形態による制御文字を使用して帯域内制御シグナリングを送信する方式での制御文字の定義を示す図である。
【図１０】本発明によるクロック・リカバリおよびリモート無線ユニットのタイミングを示す図である。
【図１】
2007533179.tif 000009
【図２】
2007533179.tif 000010
【図３】
2007533179.tif 000011
【図４】
2007533179.tif 000012
【図５】
2007533179.tif 000013
【図６】
2007533179.tif 000014
【図７】
2007533179.tif 000015
【図８】
2007533179.tif 000016
【図９】
2007533179.tif 000017
【図１０】
2007533179.tif 000018
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
広帯域伝送リンクまたはネットワークを使用して、ホスト基地局（ＢＴＳ）と１つまたは複数のリモート無線ユニット（ＲＲＵ）との間の伝送チャネルが通信する、前記ホストＢＴＳと前記１つまたは複数のＲＲＵとの間の信号伝送方法であって、
同期デジタル・ハイアラーキ（ＳＤＨ）／光伝送ネットワーク（ＯＴＮ）を使用して前記伝送チャネルを介して前記伝送を行う工程と、
前記伝送チャネルを介して送信されるデジタル無線信号データ・ストリームと帯域内制御シグナリング・ストリームとを汎用フォーミング手順（ＧＦＰ）フレームに形成する工程とを含み、前記フレームをさらにＳＴＭ−Ｎ／ＯＴＭ−ｎフレームにマッピングすることで前記デジタル無線信号データ・ストリームと前記帯域内制御シグナリング・ストリームとを多重化し、ＳＤＨ／ＯＴＮベースの伝送を実現する方法。
【請求項２】
前記デジタル無線信号データ・ストリームを符号化し、前記符号化されたデータ・ストリームを、ブロック符号化をサポートする汎用フレーミング手順ＧＦＰによって定義されるフレームのタイプであるＧＦＰ−Ｔクライアント・データ・フレームに形成する工程と、
前記帯域内制御シグナリング・ストリームをＧＦＰ−Ｔクライアント管理フレームＣＭＦに形成する工程と、
単一の前記クライアント管理フレームＣＭＦを前記形成されたＧＦＰ−Ｔクライアント・データ・フレーム間の間隙に送信して、前記デジタル無線信号データ・ストリームと前記帯域内制御シグナリング・ストリームとをＧＦＰフレームレベル多重化する工程とをさらに含む請求項１に記載の信号伝送方法。
【請求項３】
前記デジタル無線信号データ・ストリームが符号化される前に、前記デジタル無線信号に対して並列−直列変換が行われる請求項２に記載の信号伝送方法。
【請求項４】
前記デジタル無線信号データ・ストリームと前記帯域内制御シグナリング・ストリームとをＧＦＰフレームレベル多重化した後、前記方法が、
前記多重化されたＧＦＰフレームを、まず仮想コンテナ（ＶＣ）にマッピングし、次いで順次連結または仮想連結によってＳＴＭ−Ｎフレームにマッピングする工程、または
光チャネル・データ・ユニット（ＯＤＵ）を使用して前記多重化されたＧＦＰフレームを直接ＯＴＮ−ｎフレームにマッピングする工程をさらに含む請求項２に記載の信号伝送方法。
【請求項５】
前記抽出されたＧＦＰフレームを逆多重化して、前記ＧＦＰ−Ｔクライアント・データ・フレームと前記ＧＦＰ−Ｔクライアント管理フレーム（ＣＭＦ）とを分離し、分離されたＧＦＰ−Ｔクライアント管理フレームから前記帯域内制御シグナリングを復元するために、まず前記分離されたＧＦＰ−Ｔクライアント・データ・フレームを復号し、次いで前記デジタル無線信号を復元する工程とをさらに含む請求項２に記載の信号伝送方法。
【請求項６】
前記ＧＦＰフレームを前記受信されたＳＴＭ−Ｎ／ＯＴＭ−ｎフレームから抽出する前記工程が、
前記受信されたＳＴＭ−Ｎ／ＯＴＭ−ｎフレームを仮想連結バッファリングする工程をさらに含む請求項５に記載の信号伝送方法。
【請求項７】
前記方法が前記復号されたデジタル無線信号に対して直列−並列変換を行う工程をさらに含む請求項５に記載の信号伝送方法。
【請求項８】
前記ＧＦＰ−Ｔクライアント・データ・フレームが前記ＧＦＰ−Ｔクライアント管理フレームのものより高い優先順位で送信される請求項２に記載の信号伝送方法。
【請求項９】
前記帯域内制御シグナリングの前記伝送の誤り保護がペイロード・フレーム・チェック・シーケンスによって提供される請求項２に記載の信号伝送方法。
【請求項１０】
前記帯域内制御シグナリングの前記リンク層パケットがハイレベル・データ・リンク制御（ＨＤＬＣ）フレームまたは非同期伝送モード（ＡＴＭ）セルであるときには、ＨＤＬＣまたはＡＴＭのパケット化機能と区切り機能とを使用して、前記帯域内制御シグナリングを含む前記対応するＨＤＬＣフレームまたはＡＴＭセルを区切る工程と、
前記帯域内制御シグナリングの前記リンク層パケットがポイント・ツー・ポイント・プロトコル（ＰＰＰ）パケット、Ｅｔｈｅｒｎｅｔ（登録商標、以下同）媒体アクセス制御（ＭＡＣ）パケット、または直接ＩＰパケットであるときには、前記ＰＰＰパケットでは、ＨＤＬＣまたはＧＦＰ−Ｆによって前記フレームを形成し、前記ＩＰパケットでは、まずＰＰＰで前記フレームを運び、次いでＨＤＬＣまたはＧＦＰ−Ｆによって前記フレームを形成し、前記Ｅｔｈｅｒｎｅｔ  ＭＡＣフレームでは、ＧＦＰ−Ｆによって前記フレームを形成する工程とをさらに含む請求項２に記載の信号伝送方法。
【請求項１１】
前記デジタル無線信号を符号化する工程と、
前記符号化工程で使用された前記コード・ブロック内の制御文字を使用して前記帯域内制御シグナリングを送信する工程と、
前記帯域内制御シグナリングを運ぶ前記符号化されたデジタル無線信号データ・ストリームをＧＦＰ−Ｔフレームに形成する工程とをさらに含む請求項１に記載の信号伝送方法。
【請求項１２】
前記デジタル無線信号が符号化される前に、前記デジタル無線信号に対して並列−直列変換が行われる請求項１１に記載の信号伝送方法。
【請求項１３】
前記ＧＦＰ−Ｔを形成した後、前記方法が、
前記ＧＦＰフレームを仮想コンテナ（ＶＣ）にマッピングし、次いで順次連結または仮想連結によってＳＴＭ−Ｎフレームにマッピングする工程、または
光チャネル・データ・ユニット（ＯＤＵ）を使用して前記ＧＦＰ−Ｔフレームを直接ＯＴＮ−ｎフレームにマッピングする工程をさらに含む請求項１１に記載の信号伝送方法。
【請求項１４】
前記ＧＦＰ−Ｔフレームを前記受信されたＳＴＭ−Ｎ／ＯＴＭ−ｎフレームから抽出する工程と、
前記抽出されたＧＦＰ−Ｔフレームを復号する工程と、
前記帯域内制御シグナリングと前記デジタル無線信号とを前記復号されたＧＦＰ−Ｔフレームから復元する工程とをさらに含む請求項１１に記載の信号伝送方法。
【請求項１５】
前記ＧＦＰフレームを前記受信されたＳＴＭ−Ｎ／ＯＴＭ−ｎフレームから抽出する前記工程が、
前記受信されたＳＴＭ−Ｎ／ＯＴＭ−ｎフレームを仮想連結バッファリングする工程をさらに含む請求項１４に記載の信号伝送方法。
【請求項１６】
前記方法が前記復元されたデジタル無線信号に対して直列−並列変換を行う工程をさらに含む請求項１４に記載の信号伝送方法。
【請求項１７】
前記コード・ブロック内の前記制御文字の定義は、
前記コード・ブロック内の次のバイトが前記制御文字であるかどうかを示すために最上位ビットｂ７が使用されること、
前記制御文字が埋め込み文字であるかどうかを示すために次のｂ６が使用されること、
将来の拡張用の予備として上位４ビット内の最後の２ビットｂ５／ｂ４が使用されること、
前記帯域内制御シグナリング・ストリームを送信するために下位４ビットが使用されることである請求項１１に記載の信号伝送方法。
【請求項１８】
前記帯域内制御シグナリングの前記リンク層パケットがハイレベル・データ・リンク制御（ＨＤＬＣ）フレームまたは非同期伝送モード（ＡＴＭ）セルであるときには、ＨＤＬＣまたはＡＴＭのパケット化機能と区切り機能とを使用して、前記帯域内制御シグナリングを含む前記対応するＨＤＬＣフレームまたはＡＴＭセルを区切る工程と、
前記帯域内制御シグナリングの前記リンク層パケットがポイント・ツー・ポイント・プロトコル（ＰＰＰ）パケット、Ｅｔｈｅｒｎｅｔ（登録商標、以下同）媒体アクセス制御（ＭＡＣ）パケット、または直接ＩＰパケットであるときには、前記ＰＰＰパケットでは、ＨＤＬＣまたはＧＦＰ−Ｆによって前記フレームを形成し、前記ＩＰパケットでは、まずＰＰＰで前記フレームを運び、次いでＨＤＬＣまたはＧＦＰ−Ｆによって前記フレームを形成し、前記Ｅｔｈｅｒｎｅｔ  ＭＡＣフレームでは、ＧＦＰ−Ｆによって前記フレームを形成する工程とをさらに含む請求項１１に記載の信号伝送方法。
【請求項１９】
前記帯域内制御シグナリングを、プロトコル・データ・ユニット（ＰＤＵ）をサポートするために汎用フレーミング手順によって定義されるフレームのタイプであるＧＦＰ−Ｆフレームに形成する工程と、
前記デジタル無線信号データ・ストリームを符号化し、前記符号化されたデジタル無線信号データ・ストリームをＧＦＰ−Ｔフレームに形成する工程と、
前記形成されたＧＦＰ−Ｆフレームと前記形成されたＧＦＰ−ＴフレームとをＧＦＰフレームレベル多重化する工程とをさらに含む請求項１に記載の信号伝送方法。
【請求項２０】
前記デジタル無線信号データ・ストリームが符号化される前に、前記デジタル無線信号に対して並列−直列変換が行われる請求項１９に記載の信号伝送方法。
【請求項２１】
前記形成されたＧＦＰ−Ｆフレームと前記形成されたＧＦＰ−ＴフレームとをＧＦＰフレームレベル多重化した後、前記方法が、
前記ＧＦＰフレームを、まず仮想コンテナにマッピングし、次いで順次連結または仮想連結によってＳＴＭ−Ｎフレームにマッピングする工程、または
光チャネル・データ・ユニット（ＯＤＵ）を使用して前記ＧＦＰフレームを直接ＯＴＮ−ｎフレームにマッピングする工程をさらに含む請求項１９に記載の信号伝送方法。
【請求項２２】
前記ＧＦＰフレームを前記受信されたＳＴＭ−Ｎ／ＯＴＭ−ｎフレームから抽出する工程と、
前記抽出されたＧＦＰフレームを逆多重化して、前記ＧＦＰ−Ｆフレームと前記ＧＦＰ−Ｔフレームとを分離し、分離されたＧＦＰ−Ｔフレームから前記帯域内制御シグナリングを復元するために、まず前記分離されたＧＦＰ−Ｔフレームを復号し、次いで前記デジタル無線信号を復元する工程とをさらに含む請求項１９に記載の信号伝送方法。
【請求項２３】
前記ＧＦＰフレームを前記受信されたＳＴＭ−Ｎ／ＯＴＭ−ｎフレームから抽出する前記工程が、
前記受信されたＳＴＭ−Ｎ／ＯＴＭ−ｎフレームを仮想連結バッファリングする工程をさらに含む請求項２２に記載の信号伝送方法。
【請求項２４】
前記方法が前記符号化されたデジタル無線信号に対して直列−並列変換を行う工程をさらに含む請求項２２に記載の信号伝送方法。
【請求項２５】
前記帯域内制御シグナリング・リンク層パケットがより大きいことによる前記デジタル無線信号データ・ストリーム伝送とそのクロック・リカバリとに対する時間遅延への悪影響を低減するために、
ｉ）より小さい制御シグナリング・リンク層パケットを実現するためにより小さい最大伝送単位を選択する対策、または
ｉｉ）前記ＧＦＰフレームレベル多重化で、前記デジタル無線信号データ・ストリームを運ぶ前記ＧＦＰ−Ｔフレームを最初に送信する対策、
のうちのいずれか一方を少なくとも採用する請求項１９に記載の信号伝送方法。
【請求項２６】
前記帯域内制御シグナリング・ストリームを符号化し、第１のＧＦＰ−Ｔクライアント・データ・フレームを形成する工程と、
前記デジタル無線信号データ・ストリームを符号化し、第２のＧＦＰ−Ｔクライアント・データ・フレームを形成する工程と、
前記第１のＧＦＰ−Ｔクライアント・データ・フレームと前記第２のＧＦＰ−Ｔクライアント・データ・フレームとをＧＦＰフレームレベル多重化する工程とをさらに含む請求項１に記載の信号伝送方法。
【請求項２７】
前記デジタル無線信号データ・ストリームが符号化される前に、前記デジタル無線信号に対して並列−直列変換が行われる請求項２６に記載の信号伝送方法。
【請求項２８】
前記多重化されたＧＦＰフレームを、まず仮想コンテナにマッピングし、次いで順次連結または仮想連結によってＳＴＭ−Ｎフレームにマッピングする工程、または
光チャネル・データ・ユニット（ＯＤＵ）を使用して前記多重化されたＧＦＰフレームを直接ＯＴＮ−ｎフレームにマッピングする工程をさらに含む請求項２６に記載の送信伝送の方法。
【請求項２９】
前記ＧＦＰフレームを前記受信されたＳＴＭ−Ｎ／ＯＴＭ−ｎフレームから抽出する工程と、
前記抽出されたＧＦＰフレームを逆多重化し、前記第１のＧＦＰ−Ｔクライアント・データ・フレームと前記第２のＧＦＰ−Ｔクライアント・データ・フレームとが逆多重化されるに伴い、それらをそれぞれ復号して、前記帯域内制御シグナリングと前記デジタル無線信号とをそれぞれ復元する工程とをさらに含む請求項２６に記載の送信伝送の方法。
【請求項３０】
前記ＧＦＰフレームを前記受信されたＳＴＭ−Ｎ／ＯＴＭ−ｎフレームから抽出する前記工程が、
前記受信されたＳＴＭ−Ｎ／ＯＴＭ−ｎフレームを仮想連結バッファリングする工程をさらに含む請求項２９に記載の送信伝送の方法。
【請求項３１】
前記復号されたデジタル無線信号に対して直列−並列変換を行う工程をさらに含む請求項２９に記載の送信伝送の方法。
【請求項３２】
固定された割り振りを用い、提供するチャネル識別子に拡張ヘッダーを追加することによって、前記第１のＧＦＰ−Ｔクライアント・データ・フレームと前記第２ＧＦＰ−Ｔクライアント・データ・フレームとがＧＦＰレベル多重化される請求項２６に記載の信号送信の方法。
【請求項３３】
前記帯域内制御シグナリングの前記リンク層パケットがハイレベル・データ・リンク制御（ＨＤＬＣ）フレームまたは非同期伝送モード（ＡＴＭ）セルであるときには、ＨＤＬＣまたはＡＴＭのパケット化機能と区切り機能とを使用して、前記帯域内制御シグナリングを含む前記対応するＨＤＬＣフレームまたはＡＴＭセルを区切る工程と、
前記帯域内制御シグナリングの前記リンク層パケットがポイント・ツー・ポイント・プロトコル（ＰＰＰ）パケット、Ｅｔｈｅｒｎｅｔ（登録商標、以下同）媒体アクセス制御（ＭＡＣ）パケット、または直接ＩＰパケットであるときには、前記ＰＰＰパケットでは、ＨＤＬＣまたはＧＦＰ−Ｆによって前記フレームを形成し、前記ＩＰパケットでは、まずＰＰＰで前記フレームを運び、次いでＨＤＬＣまたはＧＦＰ−Ｆによって前記フレームを形成し、前記Ｅｔｈｅｒｎｅｔ  ＭＡＣフレームでは、ＧＦＰ−Ｆによって前記フレームを形成する工程とをさらに含む請求項２６に記載の信号伝送方法。
【請求項３４】
１つのＧＦＰ−Ｔフレーム内の前記デジタル無線信号データ・ストリームと前記帯域内制御シグナリング・ストリームとを時分割多重化し、
時分割多重化された後、前記データ・ストリームを符号化し、ＧＦＰ−Ｔクライアント・データ・フレームを形成する請求項１に記載の信号伝送方法。
【請求項３５】
前記デジタル無線信号データ・ストリームと前記帯域内制御シグナリングとが時分割多重化される前に、前記デジタル無線信号に対して並列−直列変換が行われる請求項３４に記載の信号伝送方法。
【請求項３６】
前記ＧＦＰフレームを、まず仮想コンテナ（ＶＣ）にマッピングし、次いで順次連結または仮想連結によってＳＴＭ−Ｎフレームにマッピングする工程、または
光チャネル・データ・ユニット（ＯＤＵ）を使用して前記ＧＦＰ−Ｔフレームを直接ＯＴＮ−ｎフレームにマッピングする工程をさらに含む請求項３４に記載の信号伝送方法。
【請求項３７】
前記ＧＦＰ−Ｔフレームを前記受信されたＳＴＭ−Ｎ／ＯＴＭ−ｎフレームから抽出する工程と、
前記抽出されたＧＦＰ−Ｔフレームを復号する工程と、
前記復号されたＧＦＰ−Ｔフレームを逆多重化して、前記帯域内制御シグナリングと前記デジタル無線信号とを復元する工程とをさらに含む請求項３４に記載の信号伝送方法。
【請求項３８】
前記ＧＦＰフレームを前記受信されたＳＴＭ−Ｎ／ＯＴＭ−ｎフレームから抽出する前記工程が、
前記受信されたＳＴＭ−Ｎ／ＯＴＭ−ｎフレームを仮想連結バッファリングする工程をさらに含む請求項３７に記載の信号伝送方法。
【請求項３９】
前記逆多重化されたデジタル無線信号に対して直列−並列変換を行う請求項３７に記載の信号伝送方法。
【請求項４０】
前記帯域内制御シグナリングの前記リンク層パケットがハイレベル・データ・リンク制御（ＨＤＬＣ）フレームまたは非同期伝送モード（ＡＴＭ）セルであるときには、ＨＤＬＣまたはＡＴＭのパケット化機能と区切り機能とを使用して、前記帯域内制御シグナリングを含む前記対応するＨＤＬＣフレームまたはＡＴＭセルを区切る工程と、
前記帯域内制御シグナリングの前記リンク層パケットがポイント・ツー・ポイント・プロトコル（ＰＰＰ）パケット、Ｅｔｈｅｒｎｅｔ（登録商標、以下同）媒体アクセス制御（ＭＡＣ）パケット、または直接ＩＰパケットであるときには、前記ＰＰＰパケットでは、ＨＤＬＣまたはＧＦＰ−Ｆによって前記フレームを形成し、前記ＩＰパケットでは、まずＰＰＰで前記フレームを運び、次いでＨＤＬＣまたはＧＦＰ−Ｆによって前記フレームを形成し、前記Ｅｔｈｅｒｎｅｔ  ＭＡＣフレームでは、ＧＦＰ−Ｆによって前記フレームを形成する工程とをさらに含む請求項３４に記載の信号伝送方法。
【請求項４１】
６４Ｂ／６５Ｂコード・ブロックを使用して符号化が行われ、
それに対応して６４Ｂ／６５Ｂコード・ブロックを使用して復号が行われることをさらに含む請求項１乃至４０のいずれか１項に記載の信号伝送方法。
【請求項４２】
前記ホストＢＴＳから前記ＲＲＵへのダウン・リンクにおいて、
前記ホストＢＴＳの基準クロック・ソースが、前記リンク・インターフェイスの前記送信端のＧＦＰフレーミングとＶＣ／ＯＤＵマッピング・モジュールとにタイミングを提供する工程と、
前記リンク・インターフェイスの前記受信端で、先入れ先出しメモリの占有局に基づく位相同期ループを使用して、前記デジタル無線信号データ・ストリーム・クロックを復元し、同時に、前記復元されたクロックを前記ＲＲＵの基準周波数ソースとして設定する工程と、
前記ＲＲＵから前記ホストＢＴＳへのアップ・リンクにおいて、
前記リンク・インターフェイスの前記送信端のＧＦＰフレーミングとＶＣ／ＯＤＵマッピング・モジュールとが前記ダウン・リンクで取得された前記同期クロックを使用してデータを送信する工程と、
前記リンク・インターフェイスの前記受信端で、前記基準クロック・ソ−スを使用して、ＧＦＰフレーム復号とＶＣ／ＯＤＣデマッピング・モジュールとにタイミングを提供する工程とをさらに含む請求項１乃至４０のいずれか１項に記載の信号伝送方法。
【請求項４３】
広帯域伝送リンクまたはネットワークを使用して、ホスト基地局（ＢＴＳ）と１つまたは複数のリモート無線ユニット（ＲＲＵ）との間の伝送チャネルが通信する、前記ホストＢＴＳと前記１つまたは複数のＲＲＵとの間の信号伝送の基地局（ＢＴＳ）通信システムであって、
前記伝送チャネルに配置された同期デジタル・ハイアラーキ（ＳＤＨ）／光伝送ネットワーク（ＯＴＮ）通信インターフェイスを含み、前記通信インターフェイスを用いて、前記通信チャネルを介して送信されるデジタル無線信号データ・ストリームと帯域内制御シグナリング・ストリームとを汎用フレーミング手順（ＧＦＰ）フレームに形成し、汎用フレーミング手順（ＧＦＰ）フレームをさらにＳＴＮ−Ｎ／ＯＴＮ−ｎフレームにマッピングすることで前記デジタル無線信号データ・ストリームと前記帯域内制御シグナリング・ストリームとを多重化し、ＳＤＨ／ＯＴＮベースの伝送が実現するＢＴＳ通信システム。
【国際調査報告】
2007533179.tif 000019
2007533179.tif 000020
2007533179.tif 000021
2007533179.tif 000022